(57)【要約】【課題】主制御盤等の交換の際に、照合データを活用して、当該照合データに対する照合条件との関連にて、主制御盤等の不適正な交換を未然に防止するようにした遊技機を提供する。【解決手段】新遊技機の主制御盤１３０が、現遊技機の主制御盤１３０から交換されたとき、当該新遊技機の主制御盤１３０に設定されている照合データと現遊技機の払い出し制御盤３００ｃに設定されている照合データとが相互に一致しない場合には、新遊技機の払い出し制御盤３００ｃが当該新遊技機の主制御盤１３０を当該新遊技機の電源装置ＰＳの給電から遮断する。【選択図】図２
2014230620.tif 000002
【特許請求の範囲】
【請求項１】
電源と、遊技盤と、当該遊技盤にその後面から設けられる払い出し制御盤を有する払い出し制御手段と、前記遊技盤にその後面から設けられる主制御盤とを備える遊技機において、
前記払い出し制御盤には、第１照合データが設定されており、
前記主制御盤には、第２照合データが設定されており、
前記第１及び第２の照合データに基づく所定の照合条件が不成立であるとき、前記主制御盤を前記電源の給電から遮断するようにしたことを特徴とする遊技機。
【請求項２】
前記払い出し制御盤は、コンピュータ手段及びスイッチング手段を具備してなり、
前記コンピュータ手段は、前記払い出し制御盤を特定する照合データを、前記第１照合データとして設定されて、当該第１照合データ及び前記主制御盤からの前記第２照合データに基づく前記所定の照合条件が不成立であるとき給電遮断信号を発生するようになっており、
前記スイッチング手段は、前記コンピュータ手段からの前記給電遮断信号に基づき、前記主制御盤を前記電源の給電から遮断するようにしたことを特徴とする請求項１に記載の遊技機。
【請求項３】
電源と、遊技盤と、当該遊技盤にその後面から設けられる払い出し制御盤を有する払い出し制御手段と、前記遊技盤にその後面から設けられる主制御盤及び副制御盤と、報知手段とを備える遊技機において、
前記払い出し制御盤には、第１照合データが設定されており、
前記主制御盤には、第２照合データが設定されており、
前記第１及び第２の照合データに基づく所定の照合条件が不成立であるとき、前記主制御盤が、前記払い出し制御盤を介する前記電源からの給電状態にて前記副制御盤への信号の出力を停止するようになっており、
前記副制御盤は、前記主制御盤による前記信号の出力の停止に基づき、前記報知手段を、前記所定の照合条件の不成立に関連する情報を報知させるように、制御することを特徴とする遊技機。
【請求項４】
前記払い出し制御盤は、コンピュータ手段及びスイッチング手段を具備してなり、
前記コンピュータ手段は、前記払い出し制御盤を特定する照合データを、前記第１照合データとして設定されて、当該第１照合データ及び前記主制御盤からの前記第２照合データに基づき前記所定の照合条件が不成立であるとき照合条件不成立信号を前記主制御盤に出力するようになっており、
前記スイッチング手段は、前記電源から給電されて前記コンピュータ手段による制御のもと導通状態にあり、
前記主制御盤は、導通状態にある前記スイッチング手段を介し前記電源から給電された状態にて、前記コンピュータ手段からの前記照合条件不成立信号に基づき前記副制御盤への信号出力を停止するようになっており、
前記副制御盤は、前記主制御盤からの前記信号出力の停止に基づき、前記報知手段を、前記第１及び第２の照合データの照合不成立に関連する情報を報知させるように、制御することを特徴とする請求項３に記載の遊技機。
【請求項５】
電源と、遊技盤と、当該遊技盤にその後面から設けられる払い出し制御盤を有する払い出し制御手段と、前記遊技盤にその後面から設けられる主制御盤及び副制御盤と、報知手段とを備える遊技機において、
前記払い出し制御盤には、第１照合データが設定されており、
前記主制御盤には、第２照合データが設定されており、
前記第１及び第２の照合データに基づく所定の照合条件が不成立であるとき、前記主制御盤が、前記払い出し制御盤を介する前記電源からの給電状態にて前記所定の照合条件の不成立を表す照合条件不成立信号を前記副制御盤に出力するようになっており、
当該副制御盤は、前記主制御盤からの前記照合条件不成立信号に基づき、前記報知手段を、前記第１及び第２の照合データに基く前記所定の照合条件の不成立に関連する情報を報知させるように、制御することを特徴とする遊技機。
【請求項６】
前記払い出し制御盤は、コンピュータ手段及びスイッチング手段を具備してなり、
前記コンピュータ手段は、前記払い出し制御盤を特定する照合データを、前記第１照合データとして設定されて、当該第１照合データ及び前記主制御盤からの前記第２照合データに基づき前記所定の照合条件が不成立であるとき照合条件不成立信号を前記主制御盤に出力するようになっており、
前記スイッチング手段は、前記電源から給電されて前記コンピュータ手段による制御のもと導通するようになっており、
前記主制御盤は、導通状態にある前記スイッチング手段を介し前記電源から給電された状態にて、前記コンピュータ手段からの前記照合条件不成立信号に基づき、異常信号を前記副制御盤に出力するようになっており、
当該副制御盤は、前記主制御盤からの前記異常信号に基づき、前記報知手段を、前記第１及び第２の照合データに基く前記所定の照合条件の不成立に関連する情報を報知させるように、制御することを特徴とする請求項５に記載の遊技機。
【請求項７】
電源と、遊技盤と、当該遊技盤にその後面から設けられる払い出し制御盤を有する払い出し制御手段と、前記遊技盤にその後面から設けられる主制御盤及び副制御盤と、報知手段とを備える遊技機において、
前記払い出し制御盤には、第１照合データが設定されており、
前記主制御盤には、第２照合データが設定されており、
前記第１及び第２の照合データに関する所定の照合条件が成立しても外部からの異常情報を表す外部異常情報信号があるとき、前記主制御盤は、前記払い出し制御手段を介する前記電源からの給電状態にて、前記外部からの前記外部異常情報信号に基き、異常報知要求を表す異常報知要求信号を前記副制御盤に出力するようになっており、
当該副制御盤は、前記主制御盤からの前記異常報知要求信号に基づき、前記報知手段を、前記外部からの前記異常情報に関連する情報を報知させるように、制御することを特徴とする遊技機。
【請求項８】
前記払い出し制御盤は、コンピュータ手段及びスイッチング手段を具備してなり、
前記コンピュータ手段は、前記払い出し制御盤を特定する照合データを、前記第１照合データとして設定されて、当該第１照合データ及び前記主制御盤からの前記第２照合データに基づき前記所定の照合条件が成立するとき照合条件成立信号を前記主制御盤に出力するようになっており、
前記スイッチング手段は、前記電源から給電されて前記コンピュータ手段による制御のもと導通するようになっており、
前記照合条件成立信号が前記コンピュータ手段から出力されても外部からの異常情報を表す異常情報信号があるとき、前記主制御盤は、導通状態にある前記スイッチング手段を介し前記電源から給電された状態にて、前記外部からの異常情報信号に基き、前記異常報知要求信号を前記副制御盤に出力するようになっており、
当該副制御盤は、前記主制御盤からの前記異常報知要求信号に基づき、前記報知手段を、前記外部からの異常情報に関連する情報を報知させるように、制御することを特徴とする請求項７に記載の遊技機。
【請求項９】
前記所定の照合条件は、前記第１及び第２の照合データが相互に一致するときに成立し、前記第１及び第２の照合データが相互に不一致になるとき不成立となることを特徴とする請求項１〜８のいずれか１つに記載の遊技機。
【発明の詳細な説明】
【技術分野】
【０００１】
本発明は、パチンコ遊技機等の遊技機に関する。
【背景技術】
【０００２】
従来、この種の遊技機においては、例えば、下記特許文献１に記載のパチンコ機が開示されている。当該パチンコ機は、電源、遊技盤や、払い出し制御盤、主制御盤や副制御盤等の各種制御盤を備えている。
【先行技術文献】
【特許文献】
【０００３】
【特許文献１】特開平１０−９４６５６号公報
【発明の概要】
【発明が解決しようとする課題】
【０００４】
ところで、上述したパチンコ機において、その交換時期が到来したとき、当該パチンコ機の遊技盤やその各種制御盤を新しい遊技盤や各種制御盤に交換するにあたり、当該各種制御盤のうち、例えば、払い出し制御盤や主制御盤が、不適正な制御プログラムを組み込んだ払い出し制御盤や主制御盤に交換されると、賞球の不適正な払い出しや不適正な大当たり制御等による不適正な行為がなされてしまうという不具合を招く。
【０００５】
そこで、本発明は、以上のようなことに対処するため、主制御盤等の交換の際に、照合データを活用して、当該照合データに対する照合条件との関連にて、主制御盤等の不適正な交換を未然に防止するようにした遊技機を提供することを目的とする。
【課題を解決するための手段】
【０００６】
上記課題の解決にあたり、本発明に係る遊技機は、請求項１の記載によれば、電源（ＰＳ）と、遊技盤（１３０）と、当該遊技盤にその後面から設けられる払い出し制御盤を有する払い出し制御手段（３００ｃ、３１０、３２０）と、遊技盤にその後面から設けられる主制御盤（３００ａ）とを備えるものである。
【０００７】
当該遊技機において、払い出し制御盤には、第１照合データが設定されており、
主制御盤には、第２照合データが設定されており、
上記第１及び第２の照合データに基づく所定の照合条件が不成立であるとき、主制御盤を電源の給電から遮断するようにしたことを特徴とする。
【０００８】
これによれば、例えば、遊技機の交換時期が到来したとき、遊技機を交換するにあたり、払い出し制御盤及び主制御盤の両照合データに基づく所定の照合条件が不成立であるとき、主制御盤を電源の給電から遮断するように制御する。
【０００９】
これにより、上述のような遊技機の交換が不適正、換言すれば、払い出し制御盤や主制御盤の交換が、誤りであったり、不正遊技行為を目的としていることが認識され得る。その結果、遊技機の不適正な交換を未然に防止し得るとともに、払い出し制御盤や主制御盤の不適正な交換のままの場合に予測される不適正な遊技行為の発生を未然に防止することができる。
【００１０】
なお、上述した第１及び第２の照合データに基づく所定の照合条件が不成立か否かは、主制御盤及び払い出し制御盤の一方、遊技機に付設されるサンド装置、遊技機を管理するホールコンピュータ或いは遊技機及びホールコンピュータを管理する第３者機関により行うようにしてもよい。
【００１１】
また、本発明は、請求項２の記載によれば、請求項１に記載の遊技機において、
払い出し制御盤は、コンピュータ手段（３１０）及びスイッチング手段（３２０）を具備してなり、
コンピュータ手段は、払い出し制御盤を特定する照合データを、上記第１照合データとして設定されて、当該第１照合データ及び主制御盤からの上記第２照合データに基づく上記所定の照合条件が不成立であるとき給電遮断信号を発生するようになっており、
スイッチング手段は、コンピュータ手段からの上記給電遮断信号に基づき、主制御盤を電源の給電から遮断するようにしたことを特徴とする。
【００１２】
このように、払い出し制御盤がコンピュータ手段及びスイッチング手段を具備することで、コンピュータ手段及び主制御盤に設定されている両照合データに基づき上記所定の照合条件が不成立とされたとき、コンピュータ手段は給電遮断信号を発生する。
【００１３】
これに伴い、スイッチング手段は、コンピュータ手段からの上記給電遮断信号に基づき、主制御盤を電源の給電から遮断するようにスイッチング作動する。これにより、請求項１に記載の発明の作用効果がより一層具体的に達成され得る。
【００１４】
また、本発明に係る遊技機は、請求項３の記載によれば、
電源（ＰＳ）と、遊技盤（１３０）と、当該遊技盤にその後面から設けられる払い出し制御盤を有する払い出し制御手段（３００ｃ、３１０、３２０）と、遊技盤にその後面から設けられる主制御盤（３００ａ）及び副制御盤（３００ｂ）と、報知手段（１３４、ＳＬＤ）とを備えるものである。
【００１５】
当該遊技機において、払い出し制御盤には、第１照合データが設定されており、  主制御盤には、第２照合データが設定されており、
上記第１及び第２の照合データに基づく所定の照合条件が不成立であるとき、主制御盤が、払い出し制御盤を介する電源からの給電状態にて副制御盤への信号の出力を停止するようになっており、
副制御盤は、主制御盤による前記信号の出力の停止に基づき、報知手段を、上記所定の照合条件の不成立に関連する情報を報知させるように、制御することを特徴とする。
【００１６】
このように、上記所定の照合条件が上記第１及び第２の照合データに基き不成立となるときには、主制御盤が、払い出し制御手段を介する電源からの給電状態にて、上記所定の照合条件の不成立に基き副制御盤への信号出力を停止し、
副制御盤は、主制御盤からの上記信号出力の停止に基き、報知手段を、上記第１及び第２の照合データに基く上記所定の照合条件の不成立に関連する情報を報知させるように、制御する。
【００１７】
その結果、請求項１に記載の発明とは異なり、主制御盤への電源からの給電を維持した状態であっても、主制御盤から副制御盤への信号出力が停止されることで、報知手段は、副制御盤によって、上記第１及び第２の照合データに基く上記所定の照合条件の不成立に関連する情報を報知させるように、制御される。
【００１８】
これによっても、遊技機の交換が不適正、換言すれば、払い出し制御盤や主制御盤の交換が、誤りであったり、不正遊技行為を目的としていることが認識され得る。その結果、請求項１に記載の発明と同様の作用効果が達成され得る。
【００１９】
また、本発明は、請求項４の記載によれば、請求項３に記載の遊技機において、
払い出し制御盤は、コンピュータ手段（３１０）及びスイッチング手段（３２０）を具備してなり、
コンピュータ手段は、払い出し制御盤を特定する照合データを、上記第１照合データとして設定されて、当該第１照合データ及び主制御盤からの上記第２照合データに基づき上記所定の照合条件が不成立であるとき照合条件不成立信号を主制御盤に出力するようになっており、
スイッチング手段は、電源から給電されてコンピュータ手段による制御のもと導通状態にあり、
主制御盤は、導通状態にあるスイッチング手段を介し電源から給電された状態にて、コンピュータ手段からの上記照合条件不成立信号に基づき副制御盤への信号出力を停止するようになっており、
副制御盤は、主制御盤からの上記信号出力の停止に基づき、前記報知手段を、前記第１及び第２の照合データの照合不成立に関連する情報を報知させるように、制御することを特徴とする。
【００２０】
このように、払い出し制御盤がコンピュータ手段及びスイッチング手段を具備することで、上記第１及び第２の照合データの間において上記所定の照合条件が不成立とされたとき、主制御盤が、払い出し制御手段を介する電源からの給電状態にて、上記所定の照合条件の不成立に基き副制御盤への信号出力を停止する。
【００２１】
これに伴い、副制御盤は、主制御盤からの上記信号出力の停止に基づき、報知手段を、上記第１及び第２の照合データに基づく照合条件の不成立に関連する情報を報知させるように、制御する。
【００２２】
このように上記第１及び第２の照合データに基づく照合条件の不成立に関連する情報を報知することによっても、請求項３に記載の発明と同様の作用効果がより一層具体的に達成され得る。
【００２３】
また、本発明に係る遊技機は、請求項５の記載によれば、
電源（ＰＳ）と、遊技盤（１３０）と、当該遊技盤にその後面から設けられる払い出し制御盤を有する払い出し制御手段（３００ｃ、３１０、３２０）と、遊技盤にその後面から設けられる主制御盤（３００ａ）及び副制御盤（３００ｂ）と、報知手段（１３４、ＳＬＤ）とを備えるものである。
【００２４】
当該遊技機において、払い出し制御盤には、第１照合データが設定されており、主制御盤には、第２照合データが設定されており、
上記第１及び第２の照合データに基づく所定の照合条件が不成立であるとき、主制御盤が、払い出し制御盤を介する電源からの給電状態にて上記所定の照合条件の不成立を表す照合条件不成立信号を副制御盤に出力するようになっており、
当該副制御盤は、主制御盤からの上記照合条件不成立信号に基づき、報知手段を、上記第１及び第２の照合データに基く上記所定の照合条件の不成立に関連する情報を報知させるように、制御することを特徴とする。
【００２５】
このように、上記所定の照合条件が上記第１及び第２の照合データに基き不成立となるときには、主制御盤が、払い出し制御手段を介する電源からの給電状態にて上記所定の照合条件の不成立に基き照合条件不成立信号を副制御盤に出し、
報知手段が、主制御盤からの上記照合条件不成立信号に基づき、副制御盤により制御されて、上記第１及び第２の照合データに基く上記所定の照合条件の不成立に関連する情報を報知する。
【００２６】
これによっても、遊技機の交換が不適正、換言すれば、払い出し制御盤や主制御盤の交換が、誤りであったり、不正遊技行為を目的としていることが認識され得る。その結果、請求項３に記載の発明と同様の作用効果が達成され得る。
【００２７】
また、本発明は、請求項６の記載によれば、請求項５に記載の遊技機において、
払い出し制御盤は、コンピュータ手段（３１０）及びスイッチング手段（３２０）を具備してなり、
コンピュータ手段は、払い出し制御盤を特定する照合データを、上記第１照合データとして設定されて、当該第１照合データ及び主制御盤からの上記第２照合データに基づき上記所定の照合条件が不成立であるとき照合条件不成立信号を主制御盤に出力するようになっており、
スイッチング手段は、電源から給電されてコンピュータ手段による制御のもと導通するようになっており、
主制御盤は、導通状態にあるスイッチング手段を介し電源から給電された状態にて、コンピュータ手段からの上記照合条件不成立信号に基づき、異常信号を副制御盤に出力するようになっており、
当該副制御盤は、主制御盤からの上記異常信号に基づき、報知手段を、上記第１及び第２の照合データに基く前記所定の照合条件の不成立に関連する情報を報知させるように、制御することを特徴とする。
【００２８】
このように、払い出し制御盤がコンピュータ手段及びスイッチング手段を具備することで、上記第１及び第２の照合データの間において、上記所定の照合条件が不成立とされたとき、コンピュータ手段は、上記所定の照合条件の不成立を表す照合条件不成立信号を主制御盤に出力し、
主制御盤が、払い出し制御手段を介する電源からの給電状態にて、コンピュータ手段からの上記照合条件不成立信号に基づき、上記異常信号を副制御盤に出力する。
【００２９】
これに伴い、報知手段が、主制御盤からの上記異常信号に基づき、副制御盤により制御されて、上記第１及び第２の照合データに基づく照合条件不成立に関連する情報を報知する。
【００３０】
このように上記第１及び第２の照合データの照合条件不成立に関連する情報を報知することによっても、請求項５に記載の発明と同様の作用効果がより一層具体的に達成され得る。
【００３１】
また、本発明に係る遊技機は、請求項７の記載によれば、
電源（ＰＳ）と、遊技盤（１３０）と、当該遊技盤にその後面から設けられる払い出し制御盤を有する払い出し制御手段（３００ｃ、３１０、３２０）と、遊技盤にその後面から設けられる主制御盤（３００ａ）及び副制御盤（３００ｂ）と、報知手段（１３４、ＳＬＤ）とを備えるものである。
【００３２】
当該遊技機において、払い出し制御盤には、第１照合データが設定されており、  主制御盤には、第２照合データが設定されており、
上記第１及び第２の照合データに関する所定の照合条件が成立しても外部からの異常情報を表す外部異常情報信号があるとき、主制御盤は、払い出し制御手段を介する電源からの給電状態にて、上記外部からの上記外部異常情報信号に基き、異常報知要求を表す異常報知要求信号を副制御盤に出力するようになっており、
当該副制御盤は、主制御盤からの上記異常報知要求信号に基づき、報知手段を、上記外部からの前記異常情報に関連する情報を報知させるように、制御することを特徴とする。
【００３３】
このように、上記第１及び第２の照合データに基く上記所定の照合条件が成立しても外部からの外部異常情報信号があるとき、主制御盤は、払い出し制御手段を介する電源からの給電状態にて、異常報知要求を表す異常報知要求信号を副制御盤に出力し、
報知手段が、主制御盤からの上記異常報知要求信号に基づき、副制御盤により制御されて、外部からの上記異常情報に関連する情報を報知する。
【００３４】
上述のように上記第１及び第２の照合データに基く上記所定の照合条件が成立しても外部からの外部異常情報信号があるとき、報知手段が、外部からの上記異常情報に関連する情報を報知するので、遊技機の交換に関する外部による管理を適性に確保することができる。
【００３５】
また、本発明は、請求項８の記載によれば、請求項７に記載の遊技機において、
払い出し制御盤は、コンピュータ手段（３１０）及びスイッチング手段（３２０）を具備してなり、
コンピュータ手段は、払い出し制御盤を特定する照合データを、上記第１照合データとして設定されて、当該第１照合データ及び主制御盤からの上記第２照合データに基づき上記所定の照合条件が成立するとき照合条件成立信号を主制御盤に出力するようになっており、
スイッチング手段は、電源から給電されてコンピュータ手段による制御のもと導通するようになっており、
上記照合条件成立信号がコンピュータ手段から出力されても外部からの異常情報を表す異常情報信号があるとき、主制御盤は、導通状態にあるスイッチング手段を介し電源から給電された状態にて、上記外部からの異常情報信号に基き、上記異常報知要求信号を副制御盤に出力するようになっており、
当該副制御盤は、主制御盤からの上記異常報知要求信号に基づき、報知手段を、上記外部からの異常情報に関連する情報を報知させるように、制御することを特徴とする。
【００３６】
このように、払い出し制御盤がコンピュータ手段及びスイッチング手段を具備することで、上記第１及び第２の照合データの間において上記所定の照合条件が成立とされて照合条件成立信号がコンピュータ手段から出力されていても、外部からの異常情報信号があれば、報知手段が、主制御盤からの異常報知要求信号に基づき、副制御盤により制御されて、外部からの異常情報に関連する情報を報知する。
【００３７】
これにより、請求項７に記載の発明の作用効果がより一層具体的に達成され得る。
【００３８】
また、本発明は、請求項９の記載によれば、請求項１〜８のいずれか１つに記載の遊技機において、
上記所定の照合条件は、上記第１及び第２の照合データが相互に一致するときに成立し、上記第１及び第２の照合データが相互に不一致になるとき不成立となることを特徴とする。
【００３９】
これにより、請求項１〜８のいずれか１つに記載の発明の作用効果がより一層具体的に達成され得る。
【発明の効果】
【００４０】
本発明によれば、遊技機の交換にあたり、払い出し制御盤及び主制御盤の両照合データに基づく所定の照合条件の不成立であるとき、払い出し制御手段が主制御盤を電源の給電から遮断する。これにより、遊技機の交換、換言すれば、払い出し制御盤や主制御盤の交換が、誤りであったり、不正遊技行為を目的としていることが認識され得る。その結果、遊技機の不適正な交換したままの場合に予測される不適正な遊技行為の発生を未然に防止することができる。
【００４１】
なお、上記各手段の括弧内の符号は、後述する実施形態に記載の具体的手段との対応関係を示す。
【図面の簡単な説明】
【００４２】
【図１】本発明を適用してなる遊技設備の第１実施形態を示す斜視図である。
【図２】上記第１実施形態における遊技設備を制御するための制御装置を示すブロック図である。
【図３】図１の遊技設備を示す他の斜視図である。
【図４】図１の遊技設備を示す平面図である。
【図５】図１の遊技設備を示す分解斜視図である。
【図６】図５の機枠（外枠）を示す拡大斜視図である。
【図７】図１の遊技設備を、遊技機の前扉を開くとともに回動部材の他側回動部を回動させた状態で示す斜視図である。
【図８】図５の機枠及び本体枠（中枠）をその組み付け状態にて示す拡大斜視図である。
【図９】図８の機枠及び本体枠の各左側上部をその組み付け状態にて示す拡大斜視図である。
【図１０】図８の機枠及び本体枠の各左側中間部位をその組み付け状態にて示す拡大斜視図である。
【図１１】図８の機枠及び本体枠の各左側下部をその組み付け状態にて示す拡大斜視図である。
【図１２】図１の遊技設備をその後方からみた斜視図である。
【図１３】図７の遊技機の部分拡大斜視図である。
【図１４】図５のサンド装置を示す拡大斜視図である。
【図１５】図５のサンド装置を示す平面図である。
【図１６】上記第１実施形態における払い出し制御盤のマイクロコンピュータにより実行される払い出し制御プログラムを示すフローチャートである。
【図１７】上記第１実施形態における副制御盤により実行される副制御プログラムを示すフローチャートである。
【図１８】上記第１実施形態における主制御盤により実行される主制御プログラムを示すフローチャートである。
【図１９】本発明を適用してなる遊技設備の第２実施形態において払い出し制御盤のマイクロコンピュータにより実行される払い出し制御プログラムを示すフローチャートである。
【図２０】上記第２実施形態における主制御盤により実行される主制御プログラムを示すフローチャートである。
【図２１】本発明を適用してなる遊技設備の第３実施形態において払い出し制御盤のマイクロコンピュータにより実行される払い出し制御プログラムを示すフローチャートである。
【図２２】上記第３実施形態における副制御盤により実行される副制御プログラムを示すフローチャートである。
【図２３】上記第３実施形態における主制御盤により実行される主制御プログラムを示すフローチャートである。
【図２４】本発明を適用してなる遊技設備の第４実施形態において副制御盤により実行される副制御プログラムを示すフローチャートである。
【図２５】上記第４実施形態における主制御盤により実行される主制御プログラムの一部を示すフローチャートである。
【図２６】本発明を適用してなる遊技設備の第５実施形態において主制御盤により実行される主制御プログラムの一部を示すフローチャートである。
【図２７】上記第５実施形態における副制御盤により実行される副制御プログラムの一部を示すフローチャートである。
【図２８】上記第５実施形態においてホールに対する枠メーカーの枠納入及び盤メーカーの遊技盤の納入に関する第３者機関の認証過程を説明する図である。
【図２９】上記第５実施形態においてホールに対する枠メーカーの枠納入の認証後、他の盤メーカーの遊技盤の納入に関する第３者機関の認証過程を説明する図である。
【発明を実施するための形態】
【００４３】
以下、本発明の各実施形態を図面により説明する。
（第１実施形態）
図１及び図２は、本発明が適用される遊技機設備Ａ及びその制御装置Ｂの第１実施形態を示している。
【００４４】
遊技機設備Ａは、パチンコホール内の島設備に立設されるものである。なお、図１において、図示左側斜め後方、右側斜め前方、上側及び下側が、それぞれ、当該遊技機設備Ａの左側、右側、上側及び下側に対応する。
【００４５】
当該遊技機設備Ａは、図１及び図３〜図５にて示すごとく、封入式パチンコ遊技機１００と、サンド装置２００とを備えている。パチンコ遊技機１００は、サンド装置２００と共に、上記島設備の設置台上に配置されるようになっている。ここで、サンド装置２００は、パチンコ遊技機１００にその左側にて沿うように上記設置台上に配置されるようになっている。
【００４６】
パチンコ遊技機１００は、図１及び図３〜図５のいずれかにて示すごとく、機枠１００ａ、遊技機本体１００ｂ及び前扉１００ｃを備えている。機枠１００ａは、外枠ともいわれるもので、この機枠１００ａは、島設備の設置台上に立設されるようになっている。当該機枠１００ａは、図５或いは図６にて例示するごとく、左右両側枠板１１０ａ、１１０ｂ及び上下両側枠板１１０ｃ、１１０ｄでもって、矩形状に構成されている。
【００４７】
また、当該機枠１００ａは、図６にて示すごとく、上側ヒンジ１１１、下側ヒンジ１１２及び中側ヒンジ１１３を備えており、これら上側、下側及び中側のヒンジ１１１〜１１３は、共に、金属板でもって形成されている。
【００４８】
上側ヒンジ１１１は、後述のごとく、下側ヒンジ１１２と共に、遊技機本体１００ｂの左縁部を支持し、かつ、中側ヒンジ１１３と共に、前扉１００ｃの左縁部を支持する役割を果たす。当該上側ヒンジ１１１は、その幅方向において、機枠１００ａの上側枠板１１０ｃの長手方向に沿うように位置して、上側枠板１１０ｃの左端部から前方へ延出している。
【００４９】
ここで、上側ヒンジ１１１は、その基端部にて、上側枠板１１０ｃの左端切り欠き部内に配設されており、当該上側ヒンジ１１１の基端部は、その左縁部にて、上側枠板１１０ｃの左端切り欠き部内上面と左側枠板１１０ａの上端面との間に挟持されている。しかして、当該上側ヒンジ１１１は、その基端部から前方へ延出している。なお、上側枠板１１０ｃの左端切り欠き部は、上側枠板１１０ｃの左端部をその下側から上方へＬ字状に切り欠くことで形成されている。
【００５０】
下側ヒンジ１１２は、その幅方向において、機枠１００ａの下側枠板１１０ｄの長手方向に沿うように位置して、下側枠板１１０ｄの左端部から前方へ延出している。ここで、下側ヒンジ１１２は、その基端部の左縁部にて、下側枠板１１０ｄの左端部と左側枠板１１０ａの下端部との間に挟持されており、当該下側ヒンジ１１２は、その基端部から上側ヒンジ１１１に平行に対向するように前方へ延出している。
【００５１】
また、中側ヒンジ１１３は、前扉１００ｃの左縁下端部に対応する位置にて、機枠１００ａの左側枠板１１０ａの長手方向中間部位から上下両側ヒンジ１１１、１１２の間にてこれらヒンジ１１１、１１２に平行となるように延出している。
【００５２】
ここで、当該中側ヒンジ１１３は、その基端部の左縁部にて、左側枠板１１０ａの長手方向中間部位に形成した溝部に嵌着されており、当該中側ヒンジ１１３は、その基端部から前方へ延出している。これにより、中側ヒンジ１１３は、上側ヒンジ１１１の直下に位置し、かつ下側ヒンジ１１２の直上に位置している。なお。左側枠板１１０ａの上記溝部は、当該左側枠板１１０ａの上記長手方向中間部位をその右側からコ字状に切り欠くことで形成されている。
【００５３】
遊技機本体１００ｂは、図５或いは図７にて例示するごとく、本体枠１２０及び遊技盤１３０を備えている。本体枠１２０は、中枠或いは内枠ともいわれるもので、当該本体枠１２０は、図７或いは図８にて示すごとく、機枠１００ａ内に前後方向に開閉可能に組み付けられている。
【００５４】
当該本体枠１２０は、図５或いは図８にて示すごとく、左右両側枠板１２０ａ、１２０ｂ、上下両側枠板１２０ｃ、１２０ｄ及び背板１２０ｅを備えており、左側枠板１２０ａ、右側枠板１２０ｂ、上側枠板１２０ｃ及び下側枠板１２０ｄは、図６にて示すごとく、互いに矩形枠状に組み付けられている。
【００５５】
背板１２０ｅは、左側枠板１２０ａ、右側枠板１２０ｂ、上側枠板１２０ｃ及び下側枠板１２０ｄの間の中空部内に組み付けられており、背板１２０ｅは、その板厚方向にて、左側枠板１２０ａ、右側枠板１２０ｂ、上側枠板１２０ｃ及び下側枠板１２０ｄの各幅方向に沿うように、左側枠板１２０ａ、右側枠板１２０ｂ、上側枠板１２０ｃ及び下側枠板１２０ｄの各後縁部に嵌装されることで、左側枠板１２０ａ、右側枠板１２０ｂ、上側枠板１２０ｃ及び下側枠板１２０ｄに組み付けられている。なお、当該背板１２０ｅの中間部位には、矩形状開口部が形成されている（図８参照）。
【００５６】
また、当該本体枠１２０は、上側ヒンジ１２１及び下側ヒンジ１２２を備えており、上側ヒンジ１２１は、その幅方向において、本体枠１２０の上側枠板１２０ｃの長手方向に沿うように位置して、上側枠板１２０ｃの左縁部から前方へ延出している。ここで、当該上側ヒンジ１２１は、その基端部にて、上側枠板１２０ｃの左端部上に取り付けられており、この上側ヒンジ１２１は、その基端部から、機枠１３０ａの上側ヒンジ１１１にその直下から沿うように、前方へ延出して、機枠１１０ａの上側ヒンジ１１１にその直下から対向可能となっている。
【００５７】
下側ヒンジ１２２は、その幅方向において、本体枠１２０の下側枠板１２０ｄの長手方向に沿うように位置して、下側枠板１２０ｄの左縁下端部から前方へ延出している。ここで、当該下側ヒンジ１２２は、その基端部にて、下側枠板１２０ｄの左縁下端部にその下面側から取り付けられており、当該下側ヒンジ１２２は、その基端部から基端部から前方へ延出して、上側ヒンジ１２１に平行に対向しかつ機枠１３０ａの下側ヒンジ１１２にその直上から沿うように位置している。
【００５８】
しかして、このように構成した本体枠１２０は、機枠１００ａに対し次のようにして組み付ける。
【００５９】
即ち、本体枠１２０は、その左側枠板１２０ａ、右側枠板１２０ｂ、上側枠板１２０ｃ及び下側枠板１２０ｄの各外面にて、それぞれ、機枠１００ａの左側枠板１１０ａ、右側枠板１１０ｂ、上側枠板１１０ｃ及び下側枠板１１０ｄの各内面に沿うように、機枠１００ａ内に嵌装される。
【００６０】
これに伴い、本体枠１２０の上側ヒンジ１２１が、その上面にて、機枠１００ａの上側ヒンジ１１１の下面に沿い重畳されるように位置し、一方、本体枠１２０の下側ヒンジ１２２が、その下面にて、機枠１００ａの下側ヒンジ１１２の上面に沿い重畳されるように位置する（図９及び図１１参照）。
【００６１】
このような状態にて、本体枠１２０の上側ヒンジ１２１が、後述のごとく、機枠１００ａの上側ヒンジ１１１に前後方向に回動可能に支持されるとともに、本体枠１２０の下側ヒンジ１２２が、後述のごとく、機枠１００ａの下側ヒンジ１１２に前後方向に回動可能に支持される。このことは、本体枠１２０は、その左側枠板１２０ａにて、機枠１００ａの左側枠板１１０ａに対し前後方向に開閉可能にヒンジ連結されることを意味する。
【００６２】
しかして、このように機枠１００ａに組み付けられた本体枠１２０は、その閉状態では、機枠１３０ａ内に位置している。また、当該本体枠１２０を開くときには、当該本体枠１２０は、その左側枠板１２０ａを基準として、機枠１００ａの内部から前方へ回動する。なお、本体枠１２０の下側枠板１２０ｄの左縁部のうち、機枠１００ａの中側ヒンジ１１３に対する対応部位には、切り欠き部１２４が形成されている。これにより、本体枠１２０を機枠１００ａに対し閉じたとき、中側ヒンジ１１３が、切り欠き部１２４に挿通されて、本体枠１２０と干渉しないようになっている。
【００６３】
遊技盤１３０は、本体枠１２０の内部、即ち、左側枠板１２０ａ、右側枠板１２０ｂ、上側枠板１２０ｃ及び下側枠板１２０で構成される中空部内にその前面側から嵌装されて背板１２０ｅに沿い組み付けられており、当該遊技盤１３０は、その盤面１３１にて、前方を臨んでいる（図５及び図７参照）。
【００６４】
また、遊技機本体１００ｂは、図５或いは図７にて示すごとく、案内レール１３２、環状の装飾構造体１３３、演出表示装置１３４、始動入賞口装置１３５や大入賞口装置１３６等の各種入賞口装置及び図示しない電動チューリップ、ゲート、風車その他の各盤面部品を備えている。
【００６５】
案内レール１３２は、図５或いは図７にて示すごとく、遊技盤１３０の盤面１３１に組み付けられており、当該案内レール１３２は、その内周側にて、盤面１３１上に遊技領域１３１ａを構成する。なお、案内レール１３２の最下端部の直上には、アウト口１３１ｂ（排出口１３１ｂ）が形成されている。このアウト口１３１ｂは、遊技盤１３０の盤面１３１に沿い転動して案内レール１３２の最下端部に達する遊技球を遊技盤１３０の後側へ排出する。また、アウト口１３１ｂを通り排出される遊技球は、アウト口１３１ｂ内に設けた排出センサ（図示しない）により検出される。
【００６６】
環状の装飾構造体１３３は、図７にて示すごとく、遊技盤１３０の開口部（図示しない）にその外周部に沿い前面側から組み付けられている。演出表示装置１３４は、液晶表示装置からなるもので、当該演出表示装置１３４は、図７にて示すごとく、装飾構造体１３３の内側にて、遊技盤１３０の上記開口部に本体枠１２０の矩形状開口部を介し嵌装して組み付けられている。
【００６７】
始動入賞口装置１３５及び大入賞口装置１３６は、図７にて示すごとく、装飾構造体１３３の直下にて、遊技盤１３０の盤面１３１に組み付けられている。上記電動チューリップ、ゲート、風車は、遊技盤１３０の盤面１３１に分散して組み付けられている。なお、遊技盤１３０の盤面１３１には、その遊技領域１３１ａに亘り、多数の遊技釘（図示しない）が、分散して打ち込まれている。
【００６８】
前扉１００ｃは、前枠ともいわれるもので、当該前扉１００ｃは、図１、図３〜図５及び図７のいずれかにて示すごとく、遊技盤本体１００ｂ及び機枠１００ａに対し前後方向に開閉可能に支持されている。
【００６９】
当該前扉１００ｃは、窓枠１６０及びガラス板１７０を備えている。窓枠１６０は、その左縁上下両側端部にて、本体枠１２０の上側ヒンジ１２１及び下側ヒンジ１２２の間に挿入されて、本体枠１２０及び機枠１００ａの各上側ヒンジ１２１、１１１及び本体枠１２０の切り欠き部１２４を介し前方へ延出する機枠１００ａの中側ヒンジ１１３にそれぞれ前後方向に回動可能に支持されている。このことは、前扉１００ｃが、その左縁部にて、本体枠１２０及び機枠１００ａの各左縁部に前後方向に開閉可能にヒンジ連結されていることを意味する。
【００７０】
ここで、窓枠１６０の左縁上側端部の各上側ヒンジ１２１、１１１に対する回動可能な支持及び窓枠１６０の左縁下側端部の中側ヒンジ１１３に対する回動可能な支持は、次のようにしてなされている。
【００７１】
上述のように窓枠１６０が、その左縁上下両側端部にて、本体枠１２０の上側ヒンジ１２１及び下側ヒンジ１２２の間に挿入されることで、窓枠１６０の左縁上側端部は、本体枠１２０の上側ヒンジ１２１にその直下から重畳されるとともに、窓枠１６０の左縁下側端部は、機枠１００ａの中側ヒンジ１１３にその直上から重畳される（図７〜図９参照）。
【００７２】
換言すれば、機枠１００ａの上側ヒンジ１１１が本体枠１２０の上側ヒンジ１２１の直上から当該上側ヒンジ１２１を介し窓枠１６０の左縁上側端部上に重畳されるとともに、機枠１００ａの中側ヒンジ１１３が、窓枠１６０の左縁下側端部にその直下から重畳される。
【００７３】
然る後、ピン状上側軸（図示しない）が、機枠１００ａの上側ヒンジ１１１及び本体枠１２０の上側ヒンジ１２１に形成した各貫通孔部１１１ａ、１２１ａに挿通されて窓枠１６０の左縁上側端部に支持される。また、ピン状下側軸（図示しない）が、機枠１００ａの中側ヒンジ１１３に形成した貫通孔部１１３ａに挿通されて窓枠１６０の左縁下側端部に支持される。
【００７４】
これにより、窓枠１６０は、上記ピン状上下両側軸を基準として、本体枠１２０に対し回動可能に支持され、かつ機枠１００ａに対し回動可能に支持される。なお、ガラス板１７０は、窓枠１６０の中空部に嵌装されて、遊技盤１３０を透視可能にしている。また、前扉１００ｃは、窓枠１６０の右端部にて、施錠機構（図示しない）により、本体枠１２０の右端部に施錠可能となっている。
【００７５】
また、前扉１００ｃは、図１或いは図３にて示すごとく、演出用ボタンスイッチ装置ＰＢを備えており、当該演出用ボタンスイッチ装置ＰＢは、前扉１００ｃの前枠１６０の左下隅角部に対応するように、その前側から機枠１００ａの中側ヒンジ１１３上に装着されている。
【００７６】
ここで、当該演出用ボタンスイッチ装置ＰＢは、遊技者の遊技中において操作し易い位置に位置している。本実施形態では、演出用ボタンスイッチ装置ＰＢは、例えば、単調になりがちなパチンコ遊技機による遊技において、遊技者を飽きさせないようにする演出するためのチャンスボタンスイッチ装置としての役割を果たす。
【００７７】
当該ボタンスイッチ装置ＰＢは、その接続端子にて、配線（図示しない）を介し、後述する電気接続機構１８０（図７或いは図１３参照）に接続されており、当該ボタンスイッチ装置ＰＢは、その押しボタンを押動操作することで、操作出力を発生して、後述のごとく、電気接続機構１８０を介して後述する副制御盤３００ｂ（図１２参照）に出力する。
【００７８】
本実施形態では、当該ボタンスイッチ装置ＰＢの押しボタンの押動操作は、演出表示装置１３４において遊技中のキャラクター等の会話（例えば、大当たりへの期待度を表す会話）を演出表示させて遊技を盛り上げたり、確変大当たりが成立しているとき単発の大当たりとして表示させておきボーナスゲーム中に「確変の昇格した」と見せかける演出を行うときになされる。
【００７９】
また、前扉１００ｃは、図１或いは図３にて示すごとく、左右両側音声演出装置ＳＬＤを備えており、当該左右両側音声演出装置ＳＬＤは、前扉１００ｃの前枠１６０の左右両上側隅角部内に組み付けられている。
【００８０】
左右両側音声演出装置ＳＬＤは、それぞれ、スピーカ等の音声演出装置からなるもので、当該左右両側音声演出装置ＳＬＤは、その各接続端子にて、配線（図示しない）を介し、電気接続機構１８０（後述する）に接続されている。しかして、当該左右両側音声演出装置ＳＬＤは、後述のごとく、電気接続機構１８０を介し副制御盤３００ｂにより制御されて、演出内容を音声により出力する。
【００８１】
また、当該パチンコ遊技機１００は、図７或いは図１３にて示すごとく、電気接続機構１８０を備えており、この電気接続機構１８０は、両コネクタ部材１８１、１８３と、配線部材１８２とにより構成されている。
【００８２】
コネクタ部材１８１は、前扉１００ｃの前枠１６０の左下隅角部に形成した貫通穴部にその後方から嵌着されており、当該コネクタ部材１８１は、その各一側コネクタ端子にて、配線（図示しない）を介しボタンスイッチ装置ＰＢの各接続端子及び左右両側音声演出装置ＳＬＤの各接続端子に前記貫通穴部を通して接続されている。
【００８３】
一方、コネクタ部材１８２は、遊技盤１３０の盤面１３１のうち左下隅角部に形成した貫通穴部に嵌着されており、当該コネクタ部材１８２は、その各一側コネクタ端子にて、配線（図示しない）を介し副制御盤３００ｂの各接続端子に接続されている。なお、当該副制御盤３００ｂは、前扉１００ｃの左右両側音声演出装置ＳＬＤによる音声演出のための制御処理を行うとともに、たとえば、ボタンスイッチ装置ＰＢからの操作出力に基づき、遊技盤１３０に設けた演出表示装置１３４による演出表示のための制御処理を行う。
【００８４】
配線部材１８２は、その一側の各接続端子にて、コネクタ１８１の各他側コネクタ端子に接続されており、当該配線部材１８２の他側の各接続端子は、コネクタ１８３の各他側コネクタ端子に接続されている。
【００８５】
しかして、ボタンスイッチ装置ＰＢが、その押しボタンを押動操作されると、当該ボタンスイッチ装置ＰＢの操作出力が、コネクタ１８１、配線部材１８３及びコネクタ部材１８２を介し、副制御盤３００ｂに出力される。
【００８６】
これに伴い、当該副制御盤３００ｂは、ボタンスイッチ装置ＰＢの操作出力に基づき、左右両側音声演出装置ＳＬＤに演出させたり、演出表示装置１３４に演出表示をさせる。換言すれば、電気接続機構１８０は、ボタンスイッチ装置ＰＢ及び左右両側音声演出装置ＳＬＤと、副制御盤３００ｂとの間において演出制御関係を形成する。
【００８７】
サンド装置２００は、図１、図３〜図５、図７、図１４及び図１５のいずれかにて示すごとく、パチンコ遊技機１００の左側にてこのパチンコ遊技機１００に沿い付設されている。
【００８８】
当該サンド装置２００は、図１４及び図１５のいずれかにて示すごとく、装置本体２００ａと、操作表示回動部材２００ｂとにより構成されている。
【００８９】
装置本体２００ａは、その前部にて、パチンコ遊技機１００の前扉１００ｃの左縁前部に左右に並んで隣接するように、パチンコ遊技機１００に付設されている。この装置本体２００ａは、両挿入部２１０ａ、２１０ｂを有しており、当該両挿入部２１０ａ、２１０ｂは、装置本体２００ａの前方へ開口するように当該装置本体２００ａにその前部側から形成されている。本実施形態において、挿入部２１０ａは、プリペイドカードであるＩＣカードを挿入するためのものであり、一方、挿入部２１０ｂは、現金を挿入するためのものである。
【００９０】
操作表示回動部材２００ｂは、本体枠１２０の下側枠板１２０ｄ或いは装置本体２００ａの前側切り欠き部２１１及び本体枠１２０の下側枠板１２０ｄの双方を開放可能とするように、構成されている。なお、装置本体２００ａの前側切り欠き部２１１は、当該装置本体２００ａの前側下部を後方へコ字状に切り欠くことで形成されている。
【００９１】
当該操作表示回動部材２００ｂは、一側及び他側の回動部２３０、２４０及びタッチパネル部２５０を備えている。一側回動部２３０は、その回動基端部にて、基軸２３１（図１５参照）により、装置本体２００ａの前側切り欠き部２１１の左側部位内にて前後方向に回動可能に支持されており、当該一側回動部２３０は、その回動基端部から他側回動部２４０側へ延出している。
【００９２】
ここで、基軸２３１は、装置本体２００ａの前側切り欠き部２１１の左側部位内にて左右方向に回動可能となるように支持されている。なお、当該一側回動部２３０のその回動基端部からの延出長さは、装置本体２００ａの前側下部の左右方向幅に対応する。
【００９３】
他側回動部２４０は、その回動基端部にて、中間軸２３２（図１４或いは図１５参照）を介し一側回動部２３０の延出端部に前後方向に相対回動可能となるように連結されており、当該他側回動部２４０は、その回動基端部から延出している。
【００９４】
ここで、当該他側回動部２４０は、本体枠１２０の下側枠板１２０ｄのうちハンドル１５０に対する対応部位を除くように、Ｌ字状に形成されている。また、他側回動部２４０は、機枠１００ａの中側ヒンジ１１３と本体枠１２０の下側ヒンジ１２２との間の間隔に対応する上下方向幅を有する。本実施形態では、中間軸２３２は、その軸方向両側端部にて、一側回動部２３０の延出端部に設けたコ字状フランジ２３２ａの上下両側腕部に形成した各貫通孔部内に回動可能に支持されている。
【００９５】
このように構成した操作表示回動部材２００ｂによれば、一側回動部２３０が装置本体２００ａの前側下部を前側切り欠き部２１１にてその前面側から閉じるとともに、他側回動部２４０が本体枠１２０の下側枠板１２０ｄをその前面側から閉じている状態にあるとき、他側回動部２４０の回動基端部は、機枠１００ａの中側ヒンジ１１３と本体枠１２０の下側ヒンジ１２２との間に嵌まり込むとともに、中間軸２３２が、その軸方向上側端部にて、機枠１００ａの中側ヒンジ１１３の貫通孔部１１３ａに係脱可能に支持され、かつ、軸方向下側端部にて、本体枠１２０の下側ヒンジ１２２の貫通孔部１２２ａ及び機枠１００ａの下側ヒンジ１１２の貫通孔部１１２ａに係脱可能に支持されている。
【００９６】
このことは、操作表示回動部材２００ｂが、他側回動部２４０にて、中間軸２３２にて、遊技機本体１００ｂ及び前扉１００ｃと同軸的にかつ回動可能に支持されることを意味する。
【００９７】
ここで、上述のような中間軸２３２の軸方向上下両側端部の中側ヒンジ１１３の貫通孔部１１３ａ及び下側ヒンジ１２２、１１２の各貫通孔部１２２ａ、１１２ａに対する係脱可能な支持は、次のような構成のもとになされる。
【００９８】
円筒状上側キャップ部（図示しない）が一側コイルスプリング（図示しない）を介し中間軸２３２の軸方向上側端部に同軸的に変位可能に嵌装されており、一方、円筒状下側キャップ部（図示しない）が他側コイルスプリング（図示しない）を介し中間軸２３２の軸方向下側端部に同軸的に変位可能に嵌装されている。
【００９９】
しかして、上記上側キャップ部が、上記一側コイルスプリングに抗して中間軸２３２の軸方向上側端部に向けて同軸的に押動されて下方へ変位することで、機枠１００ａの中側ヒンジ１１３の貫通孔部１１３ａ内にその直下から係脱可能となり、また、上記下側キャップ部が、上記他側コイルスプリングに抗して中間軸２３２の軸方向下側端部に向けて同軸的に押動されて上方へ変位することで、下側ヒンジ１２２、１１２の各貫通孔部１２２ａ、１１２ａ内にその直上から係脱可能となる。
【０１００】
このような構成のもと、上記上側キャップ部を上記一側コイルスプリングに抗して中間軸２３２の軸方向上側端部に向けて同軸的に押動して下方へ変位させるとともに、上記下側キャップ部を上記他側コイルスプリングに抗して中間軸２３２の軸方向下側端部に向けて同軸的に押動して上方へ変位させた状態にする。
【０１０１】
然る後、他側回動部２４０をその回動基端部にて上記上下両側キャップ部と共に機枠１００ａの中側ヒンジ１１３の貫通孔部１１３ａと本体枠１２０の下側ヒンジ１２２の貫通孔部１２２ａとの間に挿入しつつ上述した上下両側キャップ部に対する押動を解除する。
【０１０２】
これに伴い、当該上下両側キャップ部が、上記一側及び他側のコイルスプリングの作用のもとに、貫通孔部１１３ａ及び両貫通孔部１２２ａ、１１２ａを通り上下方向に向けて変位して原位置に復帰する。すると、中間軸２３２が、その軸方向上側端部にて、上記上側キャップ部を介し機枠１００ａの中側ヒンジ１１３の貫通孔軸１１３ａに係脱可能に支持され、かつ、軸方向下側端部にて、上記下側キャップ部を介し本体枠１２０の下側ヒンジ１１２の貫通孔部１１２ａ及び機枠１００ａの下側ヒンジ１１２の貫通孔部１１２ａに係脱可能に支持される。
【０１０３】
また、このような状態にて、上記上側キャップ部を上記一側コイルスプリングに抗して中間軸２３２の軸方向上側端部に向けて同軸的に押動して下方へ変位させるとともに、上記下側キャップ部を上記他側コイルスプリングに抗して中間軸２３２の軸方向下側端部に向けて同軸的に押動して上方へ変位させつつ、他側回動部２４０をその回動基端部にて機枠１００ａの中側ヒンジ１１３と本体枠１２０の下側ヒンジ１２２との間から解放する。
【０１０４】
これに伴い、中間軸２３２が、その軸方向上側端部にて、上記上側キャップ部と共に、機枠１００ａの中側ヒンジ１１３の貫通孔軸１１３ａから脱出し、かつ、軸方向下側端部にて、上記下側キャップ部と共に、本体枠１２０の下側ヒンジ１２２の貫通孔部１２２ａ及び機枠１００ａの下側ヒンジ１１２の貫通孔部１１２ａから脱出する。このことは、操作表示回動部材２００ｂが、回動部２４０にて、中間軸２３２を介する遊技機本体１００ｂとの支持を解除されることを意味する。
【０１０５】
タッチパネル部２５０は、図１、図３〜図５、図１４及び図１５のいずれかにて示すごとく、他側回動部２４０の収容部２４１の開口部２４１ａ内に嵌装されており、当該タッチパネル部２５０は、操作部及び表示部としての役割を果たす。
【０１０６】
ここで、収容部２４１は、他側回動部２４０の中間部位から前方へ箱状に突出形成されており、当該収容部２４１の開口部２４１ａは、前側上方へ傾斜状に対向している。これに伴い、タッチパネル部２５０は、その表示面にて、開口部２４１ａ内にて前側上方へ傾斜状に対向する。
【０１０７】
これにより、タッチパネル部２５０は、パチンコ遊技機１０の前側にて椅子（図示しない）に着座した遊技者により視認され易くかつ操作され易い位置に維持される。また、当該タッチパネル部２５０は、処理制御装置２２０（図１２参照）からの表示データを表示し、或いは、操作出力を遊技制御装置１４０（図９参照）に出力するようになっている。
【０１０８】
ここで、当該タッチパネル部２５０は、パチンコ遊技機１００による遊技を終了するとき押動操作される遊技終了ボタン部（図示しない）及びサンド装置２００の挿入部２１０ａに挿入済みのＩＣカードを当該挿入部２１０ａから排出するとき押動操作されるカード排出ボタン部（図示しない）を有する。なお、回動部材２００ｂは、他側回動部２４０の延出端部にて、本体枠１２０の下側枠板１２０ｄの右端部に図示しない他の施錠機構（図示しない）により施錠可能となっている。
【０１０９】
次に、制御装置Ｂの構成について説明すると、当該制御装置Ｂは、図２にて示すごとく、電源装置ＰＳ、主制御盤３００ａ、副制御盤３００ｂ、払い出し制御盤３００ｃ、発射制御盤３００ｄ、サンド制御盤３００ｅ及びインターフェースＩＦを備えている。
【０１１０】
電源装置ＰＳは、図１２にて示すごとく、本体枠１２０の右下隅角部にその後面側から装着されている。電源装置ＰＳは、商用電源スイッチＳＷを介しパチンコホール内の商用電源ＣＰに接続されたとき、当該電源装置ＰＳは、商用電源ＣＰから交流電圧（１００（Ｖ））を印加されて、その正側給電端子及び負側給電端子から直流電圧を発生する。なお、電源装置ＰＳの負側給電端子は、接地されている。
【０１１１】
主制御盤３００ａは、図１２にて示すごとく、遊技盤１３０にその後面側から組み付けられている。当該主制御盤３００ａは、その正側受電端子にて、図２にて示すごとく、給電配線Ｈ１、払い出し制御盤３００ｃ及び給電配線Ｈ２を介し電源装置ＰＳの正側給電端子に接続されるようになっており、当該主制御盤３００ａの負側受電端子は、接地されている。
【０１１２】
また、当該主制御盤３００ａは、マイクロコンピュータからなるもので、このマイクロコンピュータである主制御盤３００ａは、電源装置ＰＳの正負両側給電端子から、給電配線Ｈ１、払い出し制御盤３００ｃ及び給電配線Ｈ２を介し、直流電圧を印加されて、作動状態におかれて、各信号線ｈ１、ｈ２を介し払い出し制御盤３００ｃのマイクロコンピュータ３１０及び副制御盤３００ｂとの間にて信号のやり取りをする。
【０１１３】
しかして、当該主制御盤３００ａは、その作動状態にて、図１８にて示すフローチャートに従い主制御プログラムを実行し、この実行中において、副制御盤３００ｂを介し演出表示装置１３４の演出表示を制御するとともに、副制御盤３００ｂ及び電気接続機構１８０を介し、音声演出装置ＳＬＤの演出音声出力を制御する。なお、上記主制御プログラムは、主制御盤３００ａの記憶素子であるＲＯＭに予め読み出し可能に記憶されている。
【０１１４】
また、本実施形態においては、照合データＩＤ１が、後述のように設定されて、主制御盤３００ａのＲＯＭに予め読み出し可能に記憶されている。当該照合データＩＤ１は、照合データＩＤ１（後述する）と照合するためのもので、照合データＩＤ１は、払い出し制御盤３００ｃのマイクロコンピュータ３１０（後述する）記憶素子であるＲＯＭに予め読み出し可能に記憶されている。
【０１１５】
副制御盤３００ｂは、図１２にて示すごとく、主制御盤３００ａの直下にて、遊技盤１３０にその後面から組み付けられている。当該副制御盤３００ｂは、マイクロコンピュータからなるもので、このマイクロコンピュータである副制御盤３００ｂは、その正側受電端子にて、給電配線Ｈ３を介し電源装置ＰＳの正側給電端子に接続されている（図２参照）。なお、副制御盤３００ｂの負側受電端子は接地されている。
【０１１６】
しかして、当該副制御盤３００ｂは、電源装置ＰＳから給電配線Ｈ３を介し直接電圧を印加されて作動状態におかれ、図１７にて示すフローチャートに従い副制御プログラムを実行し、この実行中において、主制御盤３００ａによる制御のもと、演出表示装置１３４の演出表示を制御するとともに、電気接続機構１８０を介し、音声演出装置ＳＬＤの演出音声出力を制御する。また、当該副制御盤３００ｂは、その実行中において、電気接続機構１８０を介する延出用ボタンスイッチ装置ＰＢからの操作出力に基づき演出表示装置１３４の演出表示を制御する。
【０１１７】
また、払い出し制御盤３００ｃは、図１２にて示すごとく、本体枠１２０の下側左右方向中央部にその後面側から装着されており、当該払い出し制御盤３００ｃは、マイクロコンピュータ３１０及びスイッチング機構３２０でもって構成されている。マイクロコンピュータ３１０は、その正側受電端子にて、スイッチング機構３２０の入力端子とともに、給電配線Ｈ１を介し電源装置ＰＳの給電端子に接続されている。なお、マイクロコンピュータ３１０の負側受電端子は接地されている。
【０１１８】
当該マイクロコンピュータ３１０は、電源装置ＰＳの給電端子から給電配線Ｈ１を介し直流電圧を印加されて作動状態におかれ、図１６にて示すフローチャートに従い払い出し制御プログラムを実行し、この実行中において、主制御盤３００ａとの協働によりスイッチング機構３２０のスイッチング作動制御、発射制御盤３００ｄの制御の開始或いは停止の制御、センサ群３１１からの各種検出出力に基づく払い出し機構３１２の払い出し作動制御に要する演算処理を行う。なお、上記払い出し制御プログラムは、マイクロコンピュータ３１０のＲＯＭに予め読み出し可能に記憶されている。
【０１１９】
スイッチング機構３２０は、半導体スイッチング回路からなるもので、当該スイッチング機構３２０は、その入力端子にて、上述のごとく、給電配線Ｈ１を介し電源装置ＰＳの給電端子に接続されている。また、当該スイッチング機構３２０は、その出力端子にて、給電配線Ｈ２を介し主制御盤３００ａの正側受電端子に接続されている。なお、当該スイッチング機構３２０は、その接地端子にて、接地されている。
【０１２０】
しかして、当該スイッチング機構３２０は、マイクロコンピュータ３１０による制御のもと、導通或いは非導通におかれる。ここで、当該スイッチング機構３２０の導通は、両配線Ｈ１、Ｈ２を介する電源装置ＰＳの給電端子と主制御盤３００ａの受電端子との間の電気的接続に対応し、当該スイッチング機構３２０の非導通は、両配線Ｈ１、Ｈ２を介する電源装置ＰＳの給電端子と主制御盤３００ａの受電端子との電気的接続の遮断に対応する。
【０１２１】
換言すれば、当該スイッチング機構３２０は、その導通により、電源装置ＰＳの給電端子から主制御盤３００ａの受電端子に直流電圧を印加し、また、当該スイッチング機構３２０は、その非導通により、電源装置ＰＳの給電端子から主制御盤３００ａの受電端子への直流電圧の印加を遮断する。
【０１２２】
本実施形態において、センサ群３１１は、球払い出し制御に要する各種の遊技データを検出しマイクロコンピュータ３１０に出力する。
【０１２３】
払い出し機構３１２は、本体枠１２０の後面にその左縁上部に沿い設けられており、当該払い出し機構３１２は、電源装置ＰＳからの給電のもと、マイクロコンピュータ３１０による制御に基づき、揚送装置（図示しない）から揚送される遊技球を払い出すように構成されている。
【０１２４】
発射制御盤３００ｄは、図１２にて示すごとく、本体枠１２０の右下側隅角部にその後面側から装着されている。当該発射制御盤３００ｄは、マイクロコンピュータからなるもので、当該発射制御盤３００ｄは、その受電端子にて、電源装置ＰＳから直流電圧を印加されて作動状態におかれる。
【０１２５】
しかして、当該発射制御盤３００ｄは、その作動状態にて、払い出し制御盤３００ｃのマイクロコンピュータ３１０による制御のもと、図示しないフローチャートに従い球送り発射制御プログラムの実行を開始し、この実行中において、球送り機構３１４の球送り作動を制御するとともにタッチセンサ３１３の検出出力及びハンドル１５０の回動操作に応じて、球発射機構３１５による球発射作動を制御するに要する演算処理をする。また、当該発射制御盤３００ｄは、払い出し制御盤３００ｃのマイクロコンピュータ３１０による制御のもと、球送り発射制御プログラムの実行を停止するに要する演算処理をする。
【０１２６】
タッチセンサ３１３は、ハンドル１５０に設けられており、当該タッチセンサ３１３は、遊技者の手によるハンドル１５０との接触を検出してタッチ信号としてマイクロコンピュータ３１０に出力する。
【０１２７】
球送り機構３１４及び球発射機構３１５は、遊技盤１３０を本体枠１２０に組み付けたとき、遊技盤１３０の左上隅角部に切欠き形成してなる切欠き部１３１ｃ(図５参照）を通り前方を臨むように、本体枠１２０の左上隅角部に組み付けられている。このことは、球発射機構３１５は、遊技盤１３０の左上隅角部に位置することを意味する。なお、球送り機構３１４は、球発射機構３１５の後側に位置し、球発射機構３１５を介し前方を臨む。
【０１２８】
球送り機構３１４は、電源装置ＰＳから直流電圧を印加されて作動状態におかれ、払い出し機構３１２から払い出される遊技球を、順次、発射制御盤３００ｄによる制御のもと、球発射機構３１５に向けて送るようになっている。
【０１２９】
また、球発射機構３１５は、電源装置ＰＳから直流電圧を印加されて作動状態におかれ、遊技者によるハンドル１５０の回動操作に応じて、球送り機構３１４からの遊技球を１個ずつ、球発射レール（図示しない）から案内レール１３２の案内口部１３２ａを介して遊技領域１３１ａ内に向けて発射するようになっている。
【０１３０】
ここで、案内レール１３２の案内口部１３２ａは、図５或いは図７にて示すごとく、遊技盤１３０の左上隅角部にて、球発射装置本体１５０ａの上記球発射レールに対向するように形成されている。また、上記揚送装置は、遊技盤１３０の盤面に沿いその遊技領域１３１ａにて下方に向けて転動して上記入賞口装置に入賞する入賞球やアウト口１３１ｂに排出される遊技球を球発射装置本体１５０ａに向けて揚送するように構成されている。
【０１３１】
また、ハンドル１５０は、本体枠１２０の下側枠板１２０ｄの右下隅角部にその前面側から左右方向に回動操作可能に支持されており、当該ハンドル１５０は、球発射機構３１５とともに、球発射装置を構成する。
【０１３２】
また、サンド制御盤３００ｅは、図１２にて示すごとく、本体枠１２０の左縁部の上下方向中間部位にその後側から設けられている。当該サンド制御盤３００ｅは、電源装置ＰＳから直流電圧を印加されて作動状態におかれ、そのマイクロコンピュータ（図示しない）にて、図示しないフローチャートに従いカード処理プログラムを実行する。なお、上記カード処理プログラムは、サンド制御盤３００ｅのマイクロコンピュータの記憶素子であるＲＯＭに予め読み出し可能に記憶されている。
【０１３３】
インターフェースＩＦは、図１２にて示すごとく、本体枠１２０の左側下部にその後側から設けられており、当該インターフェースＩＦは、図２にて示すごとく、主制御盤３００ａと、払い出し制御盤３００ｃと、サンド制御盤３００ｅとの間に接続されている。
【０１３４】
しかして、当該インターフェースＩＦは、主制御盤３００ａ、払い出し制御盤３００ｃ及びサンド制御盤３００ｅの間のデータの入出力を行う。
【０１３５】
以上のように構成した本第１実施形態において、サンド装置２００が、図１、図３或いは図４にて示す位置にあるものとする。
【０１３６】
このとき、操作表示回動部材２００ｂは、装置本体２００ａに対し直角に位置するように、当該装置本体２００ａの前側切り欠き部２１１から右方へ延出している。これにより、当該操作表示回動部材２００ｂは、装置本体２００ａの前側切り欠き部２１１及び遊技機本体１００ｂの本体枠１２０の前側下部（下側枠板１２０ｄ）にその前側から沿うように位置している。
【０１３７】
このような状態にあっては、操作表示回動部材２００ｂの一側回動部２３０が、装置本体２００ａの前側切り欠き部２１１内に位置して閉じた状態にある。また、他側回動部２４０が、本体枠１２０の前側下部に沿うように位置して閉じた状態にある。
【０１３８】
このとき、上記上側キャップ部が、上記一側コイルスプリングに抗して機枠１１０ｂの中側ヒンジ１１３の貫通孔部１１３ａ内にその下方から係合するともに、上記下側キャップ部が、上記他側コイルスプリングに抗して本体枠１２０の下側ヒンジ１２２の貫通孔部１２２ａを介し機枠１１０ｂの下側ヒンジ１１２の貫通孔部１１２ａ内にその上方から係合している。
【０１３９】
このことは、上下両側キャップ部、一側及び他側のコイルスプリング、中側ヒンジ１１３の貫通孔部１１３ａ、下側ヒンジ１２２の貫通孔部１２２ａ、下側ヒンジ１１２の貫通孔部１１２ａ、中間軸２３２の軸方向上下両側端部が、中間軸２３２に対する保持手段としての役割を果たす。
【０１４０】
これにより、一側回動部２３０は、機枠１１０ｂの中側ヒンジ１１３と本体枠１２０の下側ヒンジ１２２との間において、上記上下両側キャップ部を介し、中間軸２３２でもって、本体枠１２０及び前枠１６０の各回動軸と同軸的に支持されて、装置本体２００ａの前側切り欠き部２１１内に回動不能に維持されている。
【０１４１】
このような状態において、遊技機設備Ａのパチンコ遊技機（以下、現パチンコ遊技機ともいう）の交換時期が到来した場合、当該現パチンコ遊技機を新パチンコ遊技機に交換するにあたっては、交換不要な構成部品が存在する。従って、現パチンコ遊技機の交換不要な構成部品を、サンド装置２００とともに、新パチンコ遊技機の構成部品及びサンド装置としてそのまま採用することになる。
【０１４２】
現段階では、現パチンコ遊技機の構成部品のうち、遊技盤１３０のみが交換の対象とされているものとする。従って、現パチンコ遊技機の払い出し制御盤３００ｃ、電源装置ＰＳ、発射制御盤３００ｄ、演出表示装置１３４、音声演出装置ＳＬＤ、払い出し機構３１２、球送り機構３１４、球発射機構３１５、インターフェースＩＦ及びサンド制御盤３００ｅその他の構成部品（遊技盤１３０を除く）は、それぞれ、そのまま、新パチンコ遊技機の各構成部品として用いられる。また、遊技機設備Ａのサンド装置２００も、新パチンコ遊技機とともに、新遊技機設備Ａを構成する。
【０１４３】
また、本第１実施形態では、現パチンコ遊技機において、払い出し制御盤３００ｃは、後述のごとく、照合データＩＤ１を有しており、当該照合データＩＤ１は、払い出し制御盤３００ｃを特定するに要する固有の照合データである。
【０１４４】
以上のような前提のもと、現パチンコ遊技機の主制御盤３００ａを含めた遊技盤１３０を、新パチンコ遊技機の主制御盤３００ａを含めた遊技盤１３０に交換する。本第１実施形態では、現パチンコ遊技機において、主制御盤３００ａ及び遊技盤１３０をそれぞれ現主制御盤３００ａ及び現遊技盤１３０という。また、新パチンコ遊技機において、主制御盤３００ａ及び遊技盤１３０をそれぞれ新主制御盤３００ａ及び新遊技盤１３０という。その他の構成部材は、現パチンコ遊技機及び新パチンコ遊技機の双方において同様の表現で表すものとする。サンド装置２００も同様とする。
【０１４５】
本第１実施形態では、現主制御盤３００ａは、後述のごとく、払い出し制御盤３００ｃの照合データと同一の照合データＩＤ１を有する。また、新主制御盤３００ａは、例えば、その内蔵プログラムにおいて、現主制御盤３００ａとは相違する。
【０１４６】
また、新主制御盤３００ａは、払い出し制御盤３００ｃの照合データＩＤ１とは異なる照合データＩＤ２（後述する）を有する。ここで、照合データＩＤ２は、新主制御盤３００ａを特定するに要する固有の照合データである。その他の構成において、新主制御盤３００ａは現主制御盤３００ａと同一である。
【０１４７】
ここで、現遊技盤１３０の新遊技盤１３０への交換にあたっては、遊技機本体１００ｂを前扉１００ｃとともに開くにあたり、上記施錠機構による前扉１００ｃの本体枠１２０に対する施錠を解除するとともに、上記他の施錠機構による回動部材２００ｂの本体枠１２０に対する施錠を解除する。これに伴い、回動部材２００の他側回動部２００ｂは、中間軸２３２を基準に回動可能となる。
【０１４８】
然る後、本体枠１２０（遊技機本体１００ｂ）をその回動軸を基準にして前方へ回動させると、前扉１００ｃがその回動軸を基準に本体枠１２０とともに同軸的に回動するとともに、回動部材２００の他側回動部２４０が、中間軸２３２を軸として、本体枠１２０とともに同軸的に回動する。
【０１４９】
このような過程においては、前扉１００ｃ及び他側回動部２４０が、本体枠１２０の回動に従い当該本体枠１２０により前方へ押し出されるようにして回動する。このことは、他側回動部２４０が、本体枠１２０の回動に追随して、前扉１００ｃとともに回動することを意味する。
【０１５０】
ここで、回動部材２００ｂが、その中間軸２３２にて、上述のごとく、本体枠１２０及び前枠１６０の各回動軸と同軸的に支持されている。このため、回動部材２００ｂの中間軸２３２が、本体枠１２０及び前枠１６０の各回動軸から離れて位置することなく、当該各回動軸と同軸的に位置する。
【０１５１】
従って、他側回動部２４０は、本体枠１２０や前扉１００ｃと干渉することなく、円滑に回動する。換言すれば、遊技機本体１００ｂは、回動部材２００ｂの他側回動部２４０により干渉されることなく、前扉１００ｃとともに、円滑に回動して開く。その結果、本体枠１２０に組み付けた現遊技盤１３０の新遊技盤１３０への交換が、その作業性において良好に改善されて、円滑にかつ良好になされ得る。
【０１５２】
また、このような交換を行うにあたっては、回動部材２００ｂの一側回動部２３０を、上述のごとく、装置本体２００ａの前側切り欠き部２１１内に維持した状態で、他側回動部２４０のみを中間軸２３２を軸として回動させればよく、一側回動部２３０まで回動させる必要がない。
【０１５３】
このため、上述のような現遊技盤１３０の新遊技盤１３０への交換を行うにあたっては、回動部材２００ｂのうち本体枠１２０の前側下部、即ち下側枠板１２０ｄに対応する他側回動部２４０のみを回動させれば十分である。その結果、回動部材２００ｂの回動領域及び回動部位を必要最小限に抑制することができる。
【０１５４】
また、上述のような現遊技盤１３０の新遊技盤１３０への交換が終了した後は、本体枠１２０及び前扉１００ｃを閉じるとともに、回動部材２００ｂの他側回動部２４０を本体枠１２０の下側枠板１２０に向けて回動して閉じる。然る後、上記施錠機構により、前扉１００ｃを本体枠１２０に施錠するとともに、上記他の施錠機構により、回動部材２００ｂの他側回動部２４０を本体枠１２０に施錠する。これにより、回動部材２００ｂは、図１、図３或いは図４にて示す位置に復帰する。
【０１５５】
また、現主制御盤３００ａは、上述したごとく、現遊技盤１３０の後面に組み付けられている。従って、当該現主制御盤３００ａを新主制御盤３００ａに交換することは、当該新主制御盤３００ａを新遊技盤１３０の後面に組み付けた状態で、当該新主制御盤３００ａ及び新遊技盤１３０を、現遊技盤３１０及び現主制御盤３００ａと交換することになる。
【０１５６】
換言すれば、当該交換は、新主制御盤３００ａ及び新遊技盤１３０を、現遊技盤３１０及び現主制御盤３００ａに換えて、現パチンコ遊技機の本体枠１２０に組み付けることでなされる。これにより、現主制御盤３００ａの新主制御盤３００ａへの交換が完了する。
【０１５７】
このように、本第実施形態では、現パチンコ遊技機において現遊技盤３１０及び現主制御盤３００ａを新主制御盤３００ａ及び新遊技盤１３０に交換することで、現パチンコ遊技機から新パチンコ遊技機への交換が行われる。
【０１５８】
以上のような交換の後、新主制御盤３００ａが、その受電端子にて、給電配線Ｈ２を介し払い出し制御盤３００ｃのスイッチング機構３２０の出力端子に接続される。また、当該新主制御盤３００ａは、各信号配線ｈ１、ｈ２を介し払い出し制御盤３００ｃのマイクロコンピュータ３１０及び副制御盤３００ｂに接続される。これにより、現パチンコ遊技機の新パチンコ遊技機への電気的な接続をも含めた交換が完了する。
【０１５９】
このような段階において、電源装置ＰＳが、商用電源スイッチＳＷの閉成に伴い、商用電源ＣＰから交流電圧（１００（Ｖ））を印加されると、当該電源装置ＰＳは直流電圧を発生する。すると、当該直流電圧は、副制御盤３００ｂに給電配線Ｈ３を介し印加されるとともに、給電配線Ｈ１を介し払い出し制御盤３００ｃに印加される。なお、電源装置ＰＳからの直流電圧は、新パチンコ遊技機の発射制御装置３００ｄ、演出表示装置１３４、音声演出装置ＳＬＤ、払い出し機構３１２、球送り機構３１４、球発射機構３１５、インターフェースＩＦ、サンド制御盤３００ｅ等にも印加される。
【０１６０】
上述のように電源装置ＰＳの直流電圧の印加がなされると、発射制御盤３００ｄ、演出表示装置１３４、音声演出装置ＳＬＤ、払い出し機構３１２、球送り機構３１４、球発射機構３１５、インターフェースＩＦ、サンド制御盤３００ｅ等は、作動状態におかれる。
【０１６１】
また、新パチンコ遊技機の払い出し制御盤３００ｃが、そのマイクロコンピュータ３１０及びスイッチング機構３２０にて、作動状態におかれる。すると、マイクロコンピュータ３１０は、図１６のフローチャートに従い上記払い出し制御プログラムの実行を開始し、副制御盤３００ｂが、図１７のフローチャートに従い上記副制御プログラムの実行を開始し、サンド制御盤３００ｅは、上記図示しないフローチャートに従い上記カード処理プログラムの実行を開始し、発射制御盤３００ｄは、上記図示しないフローチャートに従い上記球送り発射制御プログラムの実行を開始する。
【０１６２】
このような段階において、払い出し制御盤３００ｃにおいて、マイクロコンピュータ３１０が、図１６のフローチャートのステップ４００にて、初期化処理を行う。これに伴い、マイクロコンピュータ３１０の内部回路素子が初期化される。なお、ステップ４００の初期化処理においては、遊技球の初期的な払い出し処理がなされる。これに伴い、遊技球が、払い出し機構３１２により上記受け皿に払い出される。また、当該初期化処理においては、作動状態にある発射制御盤３００ｄが、マイクロコンピュータ３１０により、上記図示しないフローチャートに従い上記球送り発射制御プログラムの実行の開始可能状態におかれる。
【０１６３】
然る後、マイクロコンピュータ３１０は、ステップ４０１において、導通信号の出力処理を行い、ついで、ステップ４１０にて、照合データ信号ありか否かが判定される。
【０１６４】
上述のように導通信号の出力処理がなされると、マイクロコンピュータ３１０が、スイッチング機構３２０を導通させるに要する導通信号を発生してスイッチング機構３２０に出力する。このように導通信号がスイッチング機構３２０に出力されると、当該スイッチング機構３２０が、導通して、給電配線Ｈ１を介する電源装置ＰＳからの直流電圧を、給電配線Ｈ２を介し主制御盤３００ａに印加する。
【０１６５】
また、上述のようにステップ４１０にて、照合データ信号ありか否かが判定されるに際し、現段階では、未だ、照合データ信号が新主制御盤３００ａからマイクロコンピュータ３１０に入力されていないことから、当該ステップ４１０においてＮＯと判定される。さらに、現段階では、照合データ信号が新主制御盤３００ａからマイクロコンピュータ３１０に入力されるに要する時間が経過していないことから、ステップ４２０において、ＮＯと判定される。
【０１６６】
しかして、上述のように電源装置ＰＳからの直流電圧が給電配線Ｈ２を介し新主制御盤３００ａに印加されると、新主制御盤３００ａが、作動状態となり、図１８のフローチャートに従い上記主制御プログラムの実行を開始する。すると、当該新主制御盤３００ａが、図１８のステップ６００にて初期化処理を行う。このため、当該新主制御盤３００ａの内部回路素子が初期化される。
【０１６７】
然る後、図１８のステップ６０１において、照合データ信号の出力処理がなされる。当該出力処理においては、新主制御盤３００ａが、照合データＩＤ２を照合データ信号として信号線ｈ１を介し払い出し制御盤３００ｃのマイクロコンピュータ３１０に出力する。ついで、ステップ６１０において、直流電圧の受電停止か否かが判定される。現段階では、ステップ６０１の処理直後であるから、上述の直流電圧の受電停止は未だなされていない。このため、ステップ６１０における判定がＮＯとなる。そして、ステップ６２０において、現段階では待ち時間が未だ経過していなければ、ＮＯと判定される。
【０１６８】
しかして、上述のように、新主制御盤３００ａが、照合データＩＤ２を照合データ信号としてマイクロコンピュータ３１０に出力すると、ステップ４１０においてＹＥＳと判定される。
【０１６９】
これに伴い、次のステップ４１１における照合データの照合処理がなされる。この照合処理においては、新主制御盤３００ａからの照合データ信号の照合データが払い出し制御盤３００ｃの照合データと照合される。ここで、新主制御盤３００ａからの照合データ信号の照合データは照合データＩＤ２であり、一方、払い出し制御盤３００ｃの照合データが照合データＩＤ１であることから、照合データＩＤ２が照合データＩＤ１と照合される。
【０１７０】
本第１実施形態では、照合データＩＤ１は、払い出し制御盤３００ｃを特定するに要する固有の照合データとして、払い出し制御盤３００ｃのマイクロコンピュータ３１０のＲＯＭに予め読み出し可能に記憶されている。一方、照合データＩＤ２は、照合データＩＤ１とは異なる照合データであって新主制御盤３００ａ（新遊技盤１３０）を特定する固有の照合データとして、新主制御盤３００ａのＲＯＭに予め読み出し可能に記憶されている。
【０１７１】
然る後、ステップ４３０において、一致か否かが判定される。ここでは、照合データＩＤ２が照合データＩＤ１と一致するか否かが判定される。この判定では照合データＩＤ２が、上述したごとく照合データＩＤ１と異なることから、双方の照合データが不一致である。従って、ステップ４３０における判定はＮＯとなる。
【０１７２】
これに伴い、次のステップ４３１における不一致との決定処理において、照合データＩＤ２が照合データＩＤ１とは不一致であると決定される。このことは、新遊技盤１３０が払い出し制御盤３００ｃとは不適合であることを意味する。よって、新遊技盤１３０は、現パチンコ遊技機の新パチンコ遊技機への交換は不適正であることになる。ここで、当該不適正とは、例えば、新遊技盤１３０が現遊技盤１３０に換えて誤って交換されたか、或いは、新遊技盤１３０が、不正遊技を目的として、現遊技盤１３０と交換されたかのいずれかをいう。
【０１７３】
しかして、上述のような不一致との決定に伴い、次のステップ４３２における導通信号の出力停止処理において、スイッチング機構３２０への導通信号の出力が停止される。すると、この停止に伴い、スイッチング機構３２０が、非導通となり、新主制御盤３００ａに対する電源装置ＰＳからの直流電圧の印加を遮断する。
【０１７４】
また、上述のようにステップ４３２の処理がなされた後、マイクロコンピュータ３１０は、次のステップ４３３における発射制御盤の演算停止処理において、発射制御盤３００ｄの演算処理を停止する。このため、発射制御盤３００ｄは、球送り発射制御プログラムによる演算処理を停止して、球送り機構３１４の球送り作動及び球発射機構３１５の球発射作動を停止する。なお、ステップ４３３の処理後、マイクロコンピュータ３１０は、ステップ４３３の停止ステップにて、その作動を停止する。
【０１７５】
また、上述のように図１８の各ステップ６１０、６２０におけるＮＯとの判定の繰り返し中において、上述のように新主制御盤３００ａに対する電源装置ＰＳからの直流電圧の印加がスイッチング機構３２０により遮断されると、新主制御盤３００ａは、直流電圧の受電停止として、ステップ６１０においてＹＥＳと判定する。ついで、新主制御盤３００ａは、次の停止ステップ６１１にて、その作動を停止する。このことは、新主制御盤３００ａによる副制御盤３００ｂに対する制御が不可能になることを意味する。
【０１７６】
このため、副制御盤３００ｂは、上述のように、電源装置ＰＳからの給電のもと、図１７のフローチャートに従い副制御処理プログラムの実行を開始した後、当該副制御盤３００ｂは、主制御盤３００ａの作動停止のもと、ステップ５００の初期化処理及び表示処理ルーチン５１０を遊技の終了まで行う。
【０１７７】
即ち、ステップ５００の初期化処理においては、副制御盤３００ｂが初期化される。また、表示処理ルーチン５１０においては、副制御盤３００ｂが演出表示装置１３４の演出表示処理を制御する。このような制御は、上述した新主制御盤３００ａの作動停止に伴う遊技の終了に基づき、ステップ５２０にてＹＥＳと判定されて、終了する。
【０１７８】
以上説明したように、本第１実施形態において、現パチンコ遊技機の交換時期が到来したとき、現遊技盤１３０を新遊技盤１３０に交換するにあたり、新遊技盤１３０の新主制御盤３００ａは、払い出し制御盤３００ｃの照合データＩＤ１とは異なる照合データＩＤ２を有することから、上述したごとく、現遊技盤１３０の新遊技盤１３０への交換の完了後において、新主制御盤３００ａがステップ６０１にて照合データＩＤ２を照合データ信号として払い出し制御盤３００ｃのマイクロコンピュータ３１０に出力し、当該マイクロコンピュータ３１０が、ステップ４１１（図１６参照）にて、その照合データＩＤ１を新主制御盤３００ａの照合データＩＤ２と照合する。ここで、両照合データＩＤ１、ＩＤ２は、相互に異なるため、ステップ４１１における照合結果が、両照合データＩＤ１、ＩＤ２の不一致であることを示す。
【０１７９】
これに伴い、当該マイクロコンピュータ３１０は、ステップ４３０（図１６参照）にて、ＮＯと判定して、スイッチング機構３２０が、ステップ４３２における導通信号の出力停止に基く非導通のもと、新主制御盤３００ａを直流電源ＰＳの直流電圧から遮断して、当該新主制御盤３００ａの作動を停止させる。
【０１８０】
これにより、上述のような現パチンコ遊技機から新パチンコ遊技機への交換が不適正であって、新主制御盤３００ａへの交換が、誤りや不正行為を目的としていることが認識され得る。このように、現主制御盤３００ａの新主制御盤３００ａへの交換が不適正と認識されることで、現主制御盤３００ａを新主制御盤３００ａに交換したままの場合に予測される不適正な遊技行為の発生を未然に防止することができる。
【０１８１】
一方、上述とは異なり、新制御盤３００ａが、そのＲＯＭにて、上述した照合データＩＤ２ではなく、照合データＩＤ１を予め記憶している場合には、新主制御盤３００ａが、図１８のステップ６０１における照合データ信号の出力処理において、照合データＩＤ１を照合データ信号として払い出し制御盤３００ｃのマイクロコンピュータ３１０に出力する。
【０１８２】
ついで、上述と同様にステップ４１０におけるＹＥＳとの判定後、ステップ４１１（図１６参照）において、照合データの照合処理がなされる。現段階では、新制御盤３００ａが、上述したごとく、照合データＩＤ２ではなく、照合データＩＤ１を照合データ信号として出力済みである。当該照合データＩＤ１は、払い出し制御盤３００ｃの照合データＩＤ１と同一である。
【０１８３】
従って、新制御盤３００ａの照合データが払い出し制御盤３００ｃの照合データと一致することから、ステップ４３０において、ＹＥＳと判定される。このため、次のステップ４３４における一致との決定処理において、新主制御盤３００ａの照合データが払い出し制御盤３００ｃの照合データと一致する旨決定される。このことは、新主制御盤３００ａが払い出し制御盤３００ｃと相互に適合することを意味する。
【０１８４】
上述のようにステップ４３４における決定処理がなされると、次のステップ４３５（図１６参照）における導通信号の出力継続処理において、払い出し制御盤３００ｃがそのマイクロコンピュータ３１０からスイッチング機構３２０への導通信号の出力を継続する。このため、スイッチング機構３２０の導通状態が維持されて、新主制御盤３００ａが、ステップ６１０にて、ＮＯと判定した後、ステップ６２０以後の処理を行う。一方、払い出し制御盤３００ｃにおいては、マイクロコンピュータ３１０が、ステップ４４０以後の処理を行う。
【０１８５】
しかして、払い出し制御盤３００ｃでは、マイクロコンピュータ３１０が、図１６のステップ４４０において、現段階では、未だ球払い出し指令がないことからＮＯとの判定を繰り返す。一方、新制御盤３００ａでは、図１８のステップ６１０におけるＮＯとの判定のまま、ステップ６２０における判定が、待ち時間の経過に基づき、ＹＥＳになると、次の演算処理ルーチン６３０の処理が、遊技の終了に基づきステップ６４０におけるＹＥＳとの判定となるまで、繰り返される。
【０１８６】
ここで、当該演算処理ルーチン６３０においては、球送り機構３１４が、発射制御盤３００ｄによる制御のもとに、上述の初期的な払い出された遊技球を、順次、上記発射レールに送る。すると、球発射機構３１５が、上述のように、順次、上記発射レールに送られる遊技球を案内レール１３２の案内口部１３２ａを介し新遊技盤１３０の遊技領域１３１ａに向けて案内する。
【０１８７】
このように案内された遊技球は、順次、新遊技盤１３０の盤面に沿い遊技領域１３１ａ内にて下方に向けて転動していく。このような転動過程において、遊技球が、例えば、始動入賞口装置１３５に入賞して大当たりになると、球払い出し指令が新遊技盤１３０から払い出し制御盤３００ｃのマイクロコンピュータ３１０に出力される。
【０１８８】
これに伴い、上述のようにＮＯとの判定の繰り返し中のステップ４４０（図１６参照）において、新遊技盤１３０からの球払い出し指令に基づき、ＹＥＳとの判定がなされる。すると、次の球払い出し制御ルーチン４５０の処理において、上記球払い出し指令の前提である始動入賞口装置１３５への入賞による大当たりに基づき、遊技球の払い出し指令が払い出し機構３１２に対し出力される。
【０１８９】
このため、当該払い出し機構３１２が、その払い出し作動により、遊技球を上記球受け皿に払い出す。なお、ステップ４４０における判定処理及び球払い出し制御ルーチン４５０の処理は、遊技者による遊技の終了に基づき、ステップ４５１にてＹＥＳと判定されるまでなされる。なお、ステップ４４０における判定がＮＯとなる場合には、当該判定を繰り返すことなく、ステップ４５１の判定を行うようにしてもよい。
【０１９０】
以上説明したように、本第１実施形態において、現パチンコ遊技機の交換時期が到来したとき、現遊技盤１３０を新遊技盤１３０に交換するにあたり、新遊技盤１３０の新主制御盤３００ａが、現払い出し制御盤３００ｃの照合データと同一の照合データＩＤ１を有する場合には、上述したごとく、現遊技盤１３０の新遊技盤１３０への交換の完了後において、新主制御盤３００ａがステップ６０１にて照合データＩＤ１を照合データ信号として払い出し制御盤３００ｃのマイクロコンピュータ３１０に出力し、当該マイクロコンピュータ３１０が、ステップ４１１（図１６参照）にて、その照合データＩＤ１を払い出し制御盤３００ｃの照合データＩＤ１と照合する。ここで、両照合データは、同一であるため、ステップ４１１における照合結果が、両照合データＩＤ１、ＩＤ１の一致であることを示す。
【０１９１】
これに伴い、払い出し制御盤３００ｃのマイクロコンピュータ３１０は、ステップ４３０（図１６参照）にて、上記一致データに基づきＹＥＳと判定して、ステップ４３４における一致との決定処理のもと、ステップ４３５における導通信号の出力継続処理にて、スイッチング機構３２０の導通状態を維持することで、新主制御盤３００ａへの直流電源ＰＳの直流電圧の印加継続のもとに、当該新主制御盤３００ａの作動をそのまま維持する。これにより、上述のような現パチンコ遊技機から新パチンコ遊技機への交換が適正であって、新主制御盤３００ａへの交換が、誤りや不正行為を目的とするのではなく、正しいことが認識され得る。
（第２実施形態）
図１９及び図２０は、本発明の第２実施形態の要部を示している。当該第２実施形態において、図１９及び図２０にて示す各フローチャートは、それぞれ、上記第１実施形態にて述べた図１６及び図１８の各フローチャートに代えて採用されたものである。その他の構成は、上記第１実施形態と同様である。
【０１９２】
このように構成した本第２実施形態において、上記第１実施形態と同様に現パチンコ遊技機の交換時期が到来したとき現遊技盤１３０を新遊技盤１３０に交換するにあたり、新遊技盤１３０の新主制御盤３００ａが、払い出し制御盤３００ｃの照合データＩＤ１とは異なる照合データＩＤ２を有する場合には、上記第１実施形態と同様に現パチンコ遊技機の新パチンコ遊技機への交換が完了すると、払い出し制御盤３００ｃのマイクロコンピュータ３１０が、ステップ４０１（図１９参照）において、導通信号の出力処理を行い、スイッチン機構３２０が、新主制御盤３００ａに対し電源装置ＰＳからの直流電圧を印加して、当該新主制御盤３００ａを作動状態におく。
【０１９３】
ついで、マイクロコンピュータ３１０が、図１９のステップ４０２における照合データ信号の出力処理において、照合データＩＤ１を照合データ信号として新主制御盤３００ａに出力する。然る後、次のステップ４６０にて、照合結果信号ありか否かが判定される。現段階では、未だ、照合結果信号が新主制御盤３００ａからマイクロコンピュータ３１０に入力されていないことから、当該ステップ４６０における判定はＮＯとなる。ついで、照合結果信号が新主制御盤３００ａからマイクロコンピュータ３１０に入力されるに要する時間が経過していないことから、ステップ４７０において、ＮＯと判定される。
【０１９４】
また、新主制御盤３００ａが、図２０のステップ６５０において、照合データ信号ありか否かが判定される。現段階において、マイクロコンピュータ３１０からの照合データ信号が未だ主制御盤３００ａに入力されていなければ、ステップ６１０において、ＮＯと判定される。
【０１９５】
すると、次のステップ６６０において、待ち時間の経過か否かが判定される。ここで、当該待ち時間は、マイクロコンピュータ３１０から新主制御盤３００ａへの照合データ信号の入力に要する時間に相当する。
【０１９６】
しかして、現段階において、当該待ち時間が経過していなければ、ステップ６６０における判定がＮＯとなる。然る後、ステップ６６０における判定がＹＥＳとなる前に照合データ信号がマイクロコンピュータ３１０から主制御盤３００ａへ入力されると、ステップ６５０においてＹＥＳと判定される。
【０１９７】
これに伴い、次のステップ６５１において、照合データの照合処理がなされる。この照合処理においては、マイクロコンピュータ３１０からの照合データ信号の照合データＩＤ１が新主制御盤３００ａの照合データＩＤ２と照合される。換言すれば、上記第１実施形態とは異なり、新主制御盤３００ａが、その照合データＩＤ２とマイクロコンピュータ３１０からの照合データ信号の照合データＩＤ１とを照合する。
【０１９８】
ついで、ステップ６５２における照合結果信号の出力処理において、ステップ６５１における照合の結果が、照合結果信号として、払い出し制御盤３００ｃのマイクロコンピュータ３１０に出力される。これに伴い、図１９のステップ４７０における判定がＹＥＳになる前に、照合結果信号が新主制御盤３００ａからマイクロコンピュータ３１０に入力されると、ステップ４６０における判定がＹＥＳとなる。
【０１９９】
ここで、上述のごとく、払い出し制御盤３００ｃのマイクロコンピュータ３１０のＲＯＭには、現主制御盤３００ａの照合データと同一の照合データＩＤ１が記憶されており、一方、新主制御盤３００ａのＲＯＭには、照合データＩＤ１とは異なる照合データＩＤ２が記憶されている。
【０２００】
このように、新主制御盤３００ａの照合データＩＤ２が、払い出し制御盤３００ｃのマイクロコンピュータ３１０からの照合データ信号の照合データＩＤ１とは相違することから、上述したステップ６５１における照合データの照合処理においては、両照合データが不一致であるとされて、この不一致を表すデータが、ステップ６５２（図２０参照）における照合結果信号の出力処理にて、上記照合結果信号として新主制御盤３００ａから払い出し制御盤３００ｃのマイクロコンピュータ３１０に出力される。
【０２０１】
しかして、払い出し制御盤３００ｃのマイクロコンピュータ３１０において、ステップ４７０にてＹＥＳとの判定になる前に、ステップ４６０においてＹＥＳと判定されると、次のステップ４３０において、不一致データを表す照合結果信号に基づきＮＯと判定されて、上記第１実施形態と同様に、ステップ４３１における不一致との決定処理、ステップ４３２における導通信号の出力停止処理、ステップ４３３における発射制御盤の演算停止処理及びステップ４３３ａにおける停止処理がなされる。
【０２０２】
また、新主制御盤３００ａにおいて、図２０のステップ６５２における照合結果信号の出力後、図１９のステップ４３２における導通信号の出力停止処理に伴い、上記第１実施形態と同様にステップ６１０において直流電圧の受電停止に基きＹＥＳと判定されると、新主制御盤３００ａが直流電圧の受電停止の状態であることから、ステップ６１１における停止処理にて新主制御盤３００ａの作動が停止する。
【０２０３】
以上説明したごとく、本第２実施形態のように、上記第１実施形態とは異なり、新主制御盤３００ａにおいて照合データの照合処理を行い照合結果信号の出力処理を行うようにしても、上記第１実施形態と同様の作用効果を達成することができる。なお、新主制御盤３００ａが、照合データＩＤ２ではなく照合データＩＤ１を有する場合に、上記第１実施形態とは異なり、新主制御盤３００ａにおいて照合データの照合処理を行い照合結果信号の出力処理を行うようにしても、上記第１実施形態と同様の作用効果を達成し得る。
（第３実施形態）
図２１〜図２３は、本発明の第３実施形態の要部を示している。当該第３実施形態において、図２１、図２２及び図２３にて示す各フローチャートは、それぞれ、上記第１実施形態にて述べた図１６、図１７及び図１８の各フローチャートに代えて採用されたものである。その他の構成は、上記第１実施形態と同様である。
【０２０４】
本第３実施形態において、払い出し制御盤３００ｃのマイクロコンピュータ３１０が、ステップ４３０（図２１参照）において、上記第１実施形態と同様に、照合データＩＤ１と新主制御盤３００ａからの照合データ信号（図２３のステップ６０１参照）の照合データＩＤ２との不一致に基きＮＯと判定した後、ステップ４３１にて不一致との決定処理を行うと、当該マイクロコンピュータ３１０は、次のステップ４３２ａにおける不一致信号の出力処理において、両照合データＩＤ１、ＩＤ２の不一致を表す不一致信号を出力する。
【０２０５】
一方、新主制御盤３００ａが、図２３のステップ６０１における処理後、ステップ６１０ａにおいて、不一致信号ありか否かを判定する。ここで、上述のように不一致信号がマイクロコンピュータ３１０から出力されると、ステップ６１０ａにおいて、ＹＥＳと判定される。これに伴い、次のステップ６１２における異常信号の出力処理において、上記不一致信号に基き、新主制御盤３００ａの異常を表す異常信号を副制御盤３００ｂに対し出力する。
【０２０６】
また、副制御盤３００ｂは、図２２のステップ５００にて、上記第１実施形態と同様に初期化処理を行った後、次のステップ５３０において、異常信号ありか否かを判定する。従って、上述のように払い出し制御盤３００ｃのマイクロコンピュータ３１０が異常信号を出力すると、副制御盤３００ｂは、異常信号ありに基きステップ５３０においてＹＥＳと判定する。これに伴い、副制御盤３００ｂは、次のステップ５３１における異常報知処理を繰り返す。
【０２０７】
ここで、当該異常報知処理では、演出表示装置１３４及び音声演出装置ＳＬＤの双方が異常報知を行うように処理される。具体的には、演出表示装置１３４が、新遊技盤１３０の異常に基き、「しばらくお待ちください。」との表示により報知する。これに伴い、遊技者が、当該パチンコ遊技機の呼び出しボタンを操作することで、係員を呼出す。また、音声演出装置ＳＬＤが、新遊技盤１３０の異常に基き、「しばらくお待ちください。」と音声により報知する。これに伴い、遊技者が、当該パチンコ遊技機の呼び出しボタンを操作することで、係員を呼出す。
【０２０８】
これにより、係員の到来のもと、新主制御盤３００ａの照合データＩＤ２が払い出し制御盤３００ｃの照合データＩＤ１と不一致であることに基き、上記第１実施形態と同様に、上述のような現パチンコ遊技機から新パチンコ遊技機への交換が不適正であって、新主制御盤３００ａへの交換が、誤りや不正行為を目的としていることが認識され得る。
【０２０９】
このように、現主制御盤３００ａの新主制御盤３００ａへの交換が不適正と認識されることで、現主制御盤３００ａを新主制御盤３００ａに交換したままの場合に予測される不適正な遊技行為の発生を未然に防止することができる。
【０２１０】
一方、本第３実施形態において、上記第１実施形態と同様に、上述とは異なり、新制御盤３００ａが、そのＲＯＭにて、上述した照合データＩＤ２ではなく、照合データＩＤ１を予め記憶している場合には、新主制御盤３００ａが、図２３のステップ６０１における照合データ信号の出力処理において、照合データＩＤ１を照合データ信号として払い出し制御盤３００ｃのマイクロコンピュータ３１０に出力する。
【０２１１】
ついで、上述と同様にステップ４１０におけるＹＥＳとの判定後、ステップ４１１（図２１参照）において、新制御盤３００ａの照合データが払い出し制御盤３００ｃの照合データと一致するとの照合データの照合処理がなされると、ステップ４０１にて出力された導通信号の出力継続のもと、ステップ４３０におけるＹＥＳとの判定、ステップ４３４における一致との決定処理及びステップ４４０以後の処理がなされる。
【０２１２】
また、上述のごとく新制御盤３００ａの照合データが払い出し制御盤３００ｃの照合データと一致することから、払い出し制御盤３００ｃのマイクロコンピュータ３１０が不一致信号を出力することはない。このため、図２３のステップ６１０ａにおける判定がＮＯとなる。その後、ステップ６２０ａにて待ち時間の経過によりＹＥＳと判定されると、上記第１実施形態と同様に演出処理ルーチン６３０以後の処理がなされる。
【０２１３】
また、上述のように、ステップ６１０ａにてＹＥＳと判定されることでステップ６１２における異常信号の出力処理がなされることはないので、副制御盤３００ｂでは、図２２のステップ５３０における判定がＮＯとなり、上記第１実施形態と同様に、表示処理ルーチン５１０以後の処理がなされる。
【０２１４】
以上のように、新主制御盤３００ａの照合データＩＤ１が払い出し制御盤３００ｃの照合データＩＤ１と同一であって一致することに基き、上記第１実施形態と同様に、上述のような現パチンコ遊技機から新パチンコ遊技機への交換が適正であって、新主制御盤３００ａへの交換が、誤りや不正行為ではなく正しくなされていることが認識され得る。
（第４実施形態）
図２４及び図２５は、本発明の第４実施形態の要部を示している。当該第４実施形態において、図２４は、上記第３実施形態にて述べた図２２のフローチャートに代えて採用されている。また、図２５は、上記第３実施形態にて述べた図２３のフローチャートの一部を変更して採用したものである。また、本第３実施形態では、上記第実施形態にて述べた図２１のフローチャートにおいて、ステップ４３２ａの処理内容が、無効信号の出力処理に変更されている。当該無効信号は、ステップ４３１にて不一致と決定処理されたとき、新主制御盤３３０ａの処理を無効にして副制御盤３００ｂに対する新主制御盤３３０ａからの信号出力を停止するための信号としての役割を果たす。その他の構成は、上記第３実施形態と同様である。
【０２１５】
このように構成した本第４実施形態において、上記第３実施形態と同様に両照合データＩＤ１、ＩＤ２が不一致である旨、ステップ４３１にて決定処理されると、次のステップ４３２ａにおいて、不一致信号の出力処理に代えて、無効信号の出力処理がなされる。この出力処理では、両照合データＩＤ１、ＩＤ２の不一致に基く無効信号が、新主制御盤３３０ａの処理を無効にして副制御盤３００ｂに対する新主制御盤３３０ａからの信号出力を停止するための信号としてマイクロコンピュータ３１０から新主制御盤３００ａに出力される。
【０２１６】
すると、図２５のステップ６１０ｂにおいて、無効信号ありか否かが判定される。ここで、両ステップ６１０ｂ、６２０ａにてＮＯとの判定を繰り返している間に、マイクロコンピュータ３１０からの無効信号に基きＹＥＳと判定されると、次のステップ６１２ａにおける信号出力の停止処理にて、新主制御盤３００ａの演算処理が無効にされて当該新主制御盤３００ａから副制御盤３００ｂに対する信号の出力が停止される。
【０２１７】
また、当該副制御盤３００ｂが、図２４のステップ５００にて上記第３実施形態と同様に初期化の処理を行うと、次のステップ５３０ａにおいて信号出力の停止ありか否かが判定される。
【０２１８】
しかして、上述のように新主制御盤３００ａから副制御盤３００ｂへの信号出力が停止されると、当該副制御盤３００ｂは、ステップ５３０ａにてＹＥＳと判定する。これに伴い、当該副制御盤３００ｂが、上記第３実施形態と同様にステップ５３１における異常報知処理を繰り返す。これによっても、上記第３実施形態の作用効果と実質的に同様の異常報知処理に基く作用効果が達成され得る。なお、ステップ５３０ａにてＮＯと判定される場合には、上記第３実施形態と同様に表示処理ルーチン５１０以後の処理が繰り返される。
（第５実施形態）
図２６及び図２７は、本発明の第５実施形態の要部を示している。当該第５実施形態において、図２６及び図２７は、上記第３実施形態にて述べた図２２及び図２３の各フローチャートの一部を変更したものである。その他の構成は、上記第３実施形態と同様である。
【０２１９】
このように構成した本第５実施形態において、上記第３実施形態と同様に両照合データＩＤ１、ＩＤ２の不一致を表す不一致信号が払い出し制御盤３００ｃのマイクロコンピュータ３１０から新主制御盤３００ａに出力されると、図２６のステップ６１０ａにおいて、図２３のステップ６１０ａにおける場合と同様にＹＥＳと判定される。
【０２２０】
これに伴い、新主制御盤３００ａは、次のステップ６１２における第１異常信号の出力処理にて、新主制御盤３００ａの異常を表す第１異常信号を当該副制御盤３００ｂに対し出力する。本第５実施形態において、上述の第１異常信号は、上記第３実施形態にて述べた異常信号と同一の信号をいう。なお、ここで、第１異常信号としたのは、後述する第２異常信号との識別のためである。
【０２２１】
また、当該副制御盤３００ｂが、図２７のステップ５００にて上記第３実施形態と同様に初期化の処理を行うと、次のステップ５３０において、上記第３実施形態のステップ５３０における場合と同様に、第１異常信号ありか否かが判定される。
【０２２２】
しかして、上述のように第１異常信号が副制御盤３００ｂに出力されると、当該副制御盤３００ｂは、ステップ５３０にてＹＥＳと判定する。これに伴い、ステップ５３１における第１異常報知処理が上記第３実施形態と同様になされて、演出表示装置１３４が、新遊技盤１３０の異常に基き、「しばらくお待ちください。」との表示により報知する。これにより、遊技者が、当該パチンコ遊技機の呼び出しボタンを操作することで、係員を呼出す。また、音声演出装置ＳＬＤが、新遊技盤１３０の異常に基き、「しばらくお待ちください。」と音声により報知する。
【０２２３】
これにより、上記第３実施形態と同様の作用効果を達成することができる。
【０２２４】
一方、上記第３実施形態と同様に新主制御盤３００ａの照合データが、照合データＩＤ２ではなく、照合データＩＤ１である場合には、両照合データが一致することで、払い出し制御盤３００ｃのマイクロコンピュータ３１０が、ステップ４３０（図２１参照）にて、ＹＥＳと判定する。このため、不一致信号及び第１異常信号は、共に、出力されない。
【０２２５】
従って、新主制御盤３００ａが、上記第３実施形態と同様に、ステップ６１０ａ（図２６参照）にてＹＥＳと判定することなく、ステップ６２０ａにて、待ち時間の経過によりＹＥＳと判定すると、次のステップ６８０において、認証時期到来か否かが判定される。このことは、払い出し制御盤３００ｃの照合データ及び新主制御盤３００ａの照合データが共に照合データＩＤ１で一致するにもかかわらず、さらに、ステップ６８０において認証時期到来か否かを判定することを意味する。本第５実施形態において、上述した認証時期到来とは、新パチンコ遊技機の第３者機関による認証を受ける時期の到来をいう。
【０２２６】
ここで、サンド制御盤３００ｅが、認証時期到来を表す認証時期到来を、インターフェースＩＦを介し新主制御盤３００ａに出力していれば、ステップ６８０においてＹＥＳと判定される。これに伴い、新主制御盤３００ａが、次のステップ６７５における第２異常信号の出力処理において、新パチンコ遊技機の第３者機関による認証を受ける時期の到来を表す第２異常信号を副制御盤３００ｂに出力する。
【０２２７】
副制御盤３００ｂが、新主制御盤３００ａに異常がないことから、ステップ５３０（図２７参照）にてＮＯと判定すると、次のステップ５４０において、第２異常信号ありか否かが判定される。
【０２２８】
ここで、上述のごとく、新主制御盤３００ａが副制御盤３００ｂに対し第２異常信号を出力していれば、ステップ５４０においてＹＥＳと判定された後、ステップ５４６における第２異常報知処理にて、演出表示装置１３４及び音声演出装置ＳＬＤを異常報知するように制御する。これに伴い、演出表示装置１３４が、「係員を呼び出してください。」と表示する。また、音声演出装置ＳＬＤが、「係員を呼び出してください。」と音声により報知する。
【０２２９】
これにより、係員の到来のもと、上述した現遊技機の新遊技機への交換に対する第３者機関の認証の時期が到来していることが認識され得る。
【０２３０】
なお、ステップ５３０、５４０の双方において、ＮＯと判定される場合には、上記第３実施形態と同様に、表示処理ルーチン５１０以後の処理がなされる。
【０２３１】
以上のように、本第５実施形態では、新主制御盤３００ａの照合データが払い出し制御盤３００ｃの照合データと一致することで、現主制御盤３００ａの新主制御盤３００ａへの交換が適正であっても、当該新パチンコ遊技機への交換時期が第３者機関の認証を受ける時期である旨、認識することができる。その他の作用効果は上記第３実施形態と同様である。
【０２３２】
ちなみに、上述のように新パチンコ遊技機が第３者機関の認証を受ける時期にある場合について、図２８及び図２９を参照して説明する。この説明にあたり、遊技機のうち遊技盤を除く構成部分であって払い出し制御盤を含む構成部分（枠ともいう）を納入するメーカーを枠メーカーといい、遊技盤を納入するメーカーを盤メーカーといい、納入されるパチンコホールをホールというものとする。
【０２３３】
このような前提のもと、上記枠メーカーは、図２８にて各矢印で示すごとく、上記ホールに対し枠を複数納入するのにあわせて、当該納入を第３者機関に連絡する。一方、上記盤メーカーは、上記ホールに対し、複数の枠に対応するように、遊技盤を複数納入するのにあわせて、当該納入を第３者機関に連絡する。また、上記ホールは、上述した枠メーカーからの複数の枠の納入及び盤メーカーからの複数の遊技盤の納入に関し、第３者機関に認証を求めるべく連絡する。
【０２３４】
ここで、各枠は、その払い出し制御盤にて、互いに異なる照合データを有するものとする。また、各遊技盤は、互いに異なる照合データを有するものとする。
【０２３５】
しかして、上述のように供給された複数の枠及び複数の遊技盤のうち、互いに対応する枠及び遊技盤同士毎に、上記ホールにおいて組み付けられることとなる。
【０２３６】
ここで、互いに対応する枠及び遊技盤同士毎に、照合データが一致していれば、第３者機関が、上述した複数の枠の納入及び複数の遊技盤の納入に関し、認証する旨、上記ホールに対し、通知する。
【０２３７】
これにより、上記ホールでは、上述した第３者機関による認証のもとに、互いに対応する枠及び遊技盤同士毎に、上記ホールにおいて組み付けられる。
【０２３８】
また、互いに対応する枠及び遊技盤同士の少なくともいずれかにおいて、照合データが一致しない場合には、第３者機関は、上述した複数の枠の納入及び複数の遊技盤の納入に関し、認証しない旨、上記ホールに対し通知する。
【０２３９】
従って、本第５実施形態において新遊技盤１３０の照合データが現遊技機の払い出し制御盤３００ｃの照合データが一致する場合には、第３者機関による認証のもと、上述した現遊技機の新遊技機への交換が適正であることになる。また、新遊技盤１３０の照合データが現遊技機の払い出し制御盤３００ｃの照合データが一致しない場合には、第３者機関によって認証されない。従って、上述した現遊技機の新遊技機への交換が不適正であることになる。
【０２４０】
また、上述のように上記ホールに対する複数の枠の納入及び複数の遊技盤の納入が第３者機関により認証された後において、遊技機の交換時期が到来したとき、上記盤メーカーとは異なる他の盤メーカーが、図２９の矢印にて示すごとく、遊技盤を複数上記ホールに納入するのにあわせて、当該納入を、第３者機関に連絡する。このような段階では、上記枠メーカーから上記ホールへの複数の枠の納入は、第３者機関により認証済みであるため、上記枠メーカーは、改めて、上記ホールへの複数の枠の納入に関し、第３者機関に対し連絡する必要はない。
【０２４１】
ここで、互いに対応する枠及び上記他の盤メーカーからの納入遊技盤同士毎に、照合データが一致していれば、第３者機関が、上述した複数の遊技盤の納入に関し、認証する旨、上記ホールに対し、通知する。
【０２４２】
また、互いに対応する枠及び上記他の盤メーカーからの納入遊技盤同士の少なくともいずれかにおいて、照合データが一致しない場合には、第３者機関は、上述した他の盤メーカーによる上記ホールへの複数の遊技盤の納入に関し、認証しない旨、上記ホールに対し通知する。
【０２４３】
なお、本発明の実施にあたり、上記実施形態にて述べた払い出し制御盤及び主制御盤の各照合データが不一致か否かの判定は、上記実施形態にて述べた払い出し制御盤のコンピュータ或いは主制御盤に限らず、サンド装置２００、ホールに設置されて遊技機を管理するホールコンピュータ或いは遊技機及びホールコンピュータを管理する第３者機関により行うようにしてもよい。
【符号の説明】
【０２４４】
ＰＳ…電源装置、ＳＬＤ…音声演出装置、１３０…遊技盤、
１３４…演出表示装置、３００ａ…主制御盤、３００ｂ…副制御盤、
３００ｃ…払い出し制御盤、３１０…マイクロコンピュータ、
３２０…スイッチング機構。
【図１】
2014230620.tif 000003
【図２】
2014230620.tif 000004
【図３】
2014230620.tif 000005
【図４】
2014230620.tif 000006
【図５】
2014230620.tif 000007
【図６】
2014230620.tif 000008
【図７】
2014230620.tif 000009
【図８】
2014230620.tif 000010
【図９】
2014230620.tif 000011
【図１０】
2014230620.tif 000012
【図１１】
2014230620.tif 000013
【図１２】
2014230620.tif 000014
【図１３】
2014230620.tif 000015
【図１４】
2014230620.tif 000016
【図１５】
2014230620.tif 000017
【図１６】
2014230620.tif 000018
【図１７】
2014230620.tif 000019
【図１８】
2014230620.tif 000020
【図１９】
2014230620.tif 000021
【図２０】
2014230620.tif 000022
【図２１】
2014230620.tif 000023
【図２２】
2014230620.tif 000024
【図２３】
2014230620.tif 000025
【図２４】
2014230620.tif 000026
【図２５】
2014230620.tif 000027
【図２６】
2014230620.tif 000028
【図２７】
2014230620.tif 000029
【図２８】
2014230620.tif 000030
【図２９】
2014230620.tif 000031